(57)【要約】  【課題】日々サービスが無秩序に増減する環境に適応させることのできる画像処理システムを提供する。  【解決手段】従来のようにサービスについての情報を複合機１０に登録する構成では、サービスが無秩序に増減する環境において、そのサービスの実行に必要なパラメータの仕様等が変更されると、登録済みサービスの提供を正常に受けられなくなる。この問題に対しては、仕様などの変更に伴うパラメータの設定手順などをも複合機１０側で管理すればよいが、それにより複合機１０側の負担が大きくなるため望ましくない。これに対し、本画像処理システムの複合機１０は、機能サーバ３０によるサービスの提供を受けて機能を実現する際、この実現に際して必要なパラメータをパラメータ入力画面に従ってユーザに指定させることにより随時取得できるため、パラメータの仕様などが変更される状況下においても複合機１０側の負担を抑えることができる。【選択図】図１
2006135692.tif 000002
【特許請求の範囲】
【請求項１】
画像を読み取りその画像を表す画像データを生成する機能および画像データの表す画像を印刷する機能のうち少なくとも一方の機能を有する画像処理装置と、
該画像処理装置からの要求に応じて、該画像処理装置の有する機能により生成された画像データおよび印刷される画像を示す画像データのうち少なくとも一方に関するサービスを提供するサービス提供手段と、
を備えた画像処理システムであって、
前記画像処理装置において、
前記サービス提供手段によるサービスの提供を受ける際に必要なパラメータである提供パラメータを取得するパラメータ取得手段と、
前記サービス提供手段に対してサービスの提供を要求するサービス要求手段と、
該サービス要求手段による要求を受けた前記サービス提供手段によりサービスの提供を受けるにあたり、前記パラメータ取得手段により取得された提供パラメータに基づいて当該画像処理装置の有する機能を実現するサービス実現手段と、が備えられており、
前記サービス提供手段において、
前記画像処理装置の備えるサービス要求手段による要求を受けた際に、該画像処理装置に対してサービスを提供するための処理を実行する提供実行手段が備えられている
ことを特徴とする画像処理システム。
【請求項２】
前記提供パラメータの取得を前記画像処理装置に対して要求する取得要求手段を備え、
前記画像処理装置において、
前記パラメータ取得手段は、前記取得要求手段による要求を受けた際に、ユーザに前記提供パラメータを指定させると共に、該指定された提供パラメータを取得する
ことを特徴とする請求項１に記載の画像処理システム。
【請求項３】
前記画像処理装置において、
前記サービス要求手段は、ユーザの操作を受けて前記サービス提供手段に対してサービスの提供を要求する
ことを特徴とする請求項１または請求項２に記載の画像処理システム。
【請求項４】
前記画像処理装置において、
前記パラメータ取得手段により取得された提供パラメータを前記サービス提供手段に通知する取得パラメータ通知手段が備えられており、
前記サービス提供手段において、
前記画像処理装置に対し、該画像処理装置の備える前記取得パラメータ通知手段にて通知された提供パラメータに基づいて該画像処理装置の備えるサービス実現手段により機能を実現すべき旨を通知する実現パラメータ通知手段が備えられており、
さらに、前記画像処理装置において、
前記サービス実現手段は、前記サービス提供手段の備える実現パラメータ通知手段にて通知された内容で示される前記提供パラメータに基づいて当該画像処理装置の有する機能を実現する、ように構成されている
ことを特徴とする請求項１から３のいずれかに記載の画像処理システム。
【請求項５】
前記画像処理装置において、
前記サービス実現手段は、前記サービス提供手段の備える実現パラメータ通知手段にて通知を受けた際に、当該画像処理装置の有する機能を実現する、ように構成されている
ことを特徴とする請求項４に記載の画像処理システム。
【請求項６】
前記画像処理装置において、
前記パラメータ取得手段により取得された提供パラメータを、当該画像処理装置の有する機能に関する第１提供パラメータ，および，当該画像処理装置の有する機能以外に関する第２提供パラメータそれぞれに分類するパラメータ分類手段が備えられ、
前記取得パラメータ通知手段は、前記パラメータ分類手段により第２提供パラメータとして分類される提供パラメータを通知して、
前記サービス実現手段は、前記サービス提供手段の備える実現パラメータ通知手段にて通知された内容で示される前記提供パラメータ，および，前記パラメータ分類手段により第１提供パラメータとして分類される提供パラメータに基づいて当該画像処理装置の有する機能を実現する、ように構成されている
ことを特徴とする請求項４または請求項５に記載の画像処理システム。
【請求項７】
前記提供パラメータの取得を前記画像処理装置に対して要求する取得要求手段を備え、
該取得要求手段は、前記画像処理装置の有する機能に関するパラメータを含む複数のパラメータそれぞれの提供パラメータとしての指定を前記画像処理装置に対して要求するように構成されており、
前記画像処理装置において、
前記パラメータ取得手段は、前記取得要求手段による要求を受けた際に、当該画像処理装置の有する機能に関するパラメータを含む複数のパラメータをそれぞれ提供パラメータとして取得する、ように構成されている
ことを特徴とする請求項６に記載の画像処理システム。
【請求項８】
前記画像処理装置において、
前記パラメータ分類手段により第１提供パラメータとして分類される提供パラメータを登録するパラメータ登録手段が備えられており、
前記サービス実現手段は、前記サービス提供手段の備える実現パラメータ通知手段にて通知された内容で示される前記提供パラメータ，および，前記パラメータ登録手段により登録された提供パラメータに基づいて当該画像処理装置の有する機能を実現する、ように構成されている
ことを特徴とする請求項６または請求項７に記載の画像処理システム。
【請求項９】
前記画像処理装置において、
前記パラメータ取得手段は、複数種類のサービスそれぞれに対応する前記提供パラメータを取得して、
前記サービス要求手段は、ユーザに選択されたサービスの提供を前記サービス提供手段に対して要求して、
前記取得パラメータ通知手段は、前記パラメータ取得手段により取得された提供パラメータを、前記サービス要求手段により提供が要求されたサービスを特定可能な状態で前記サービス提供手段に通知して、
前記パラメータ登録手段は、前記パラメータ分類手段により第１提供パラメータとして分類される提供パラメータを、前記サービス要求手段により提供が要求されたサービスの提供を受ける際に実現すべき機能を特定可能な状態で登録する、ように構成されている
ことを特徴とする請求項８に記載の画像処理システム。
【請求項１０】
前記パラメータ分類手段により前記第２提供パラメータとして分類される提供パラメータについて、前記画像処理装置および前記サービス提供手段のいずれにより管理するかを、前記画像処理装置に対して指令する管理指令手段を備えており、
前記画像処理装置において、
前記指定パラメータ通知手段は、前記管理指令手段により前記画像処理装置により管理すべき旨が指令される場合であれば、前記パラメータ分類手段により第２提供パラメータとして分類される提供パラメータを通知する一方、前記サービス提供手段により管理すべき旨が指令される場合であれば、前記パラメータ取得手段により取得された提供パラメータ全てについて通知する
ことを特徴とする請求項６から９のいずれかに記載の画像処理システム。
【請求項１１】
画像を読み取りその画像を表す画像データを生成する機能および画像データの表す画像を印刷する機能のうち少なくとも一方の機能を有する画像処理装置であって、
該画像処理装置の有する機能により生成された画像データおよび印刷される画像を示す画像データのうち少なくとも一方に関するサービスを提供するサービス提供手段について、該サービス提供手段によるサービスの提供を受ける際に必要なパラメータである提供パラメータを取得するパラメータ取得手段と、
前記サービス提供手段に対してサービスの提供を要求するサービス要求手段と、
該サービス要求手段による要求を受けた前記サービス提供手段によりサービスの提供を受けるにあたり、前記パラメータ取得手段により取得された提供パラメータに基づいて当該画像処理装置の有する機能を実現するサービス実現手段と、が備えられている
ことを特徴とする画像処理装置。
【請求項１２】
画像を読み取りその画像を表す画像データを生成する機能および画像データの表す画像を印刷する機能のうち少なくとも一方の機能を有する画像処理装置からの要求に応じて、該画像処理装置の有する機能により生成された画像データおよび印刷される画像を示す画像データのうち少なくとも一方に関するサービスを提供するサーバであって、
前記画像処理装置に対し、該画像処理装置から通知された提供パラメータに基づいて該画像処理装置の有する機能を実現すべき旨を通知する実現パラメータ通知手段と、
該実現パラメータ通知手段に基づき前記画像処理装置にて機能が実現されることで、該画像処理装置に対してサービスを提供するための処理を実行する提供実行手段と、を備えている
ことを特徴とするサーバ。
【請求項１３】
請求項１から１０のいずれかに記載の画像処理システムとして機能させるための各種処理手順を、コンピュータシステムに実行させるためのプログラム。
【請求項１４】
請求項１から１０のいずれかに記載の画像処理装置として機能させるための各種処理手順を、コンピュータシステムに実行させるためのプログラム。
【請求項１５】
請求項１から１０のいずれかに記載のサービス提供手段として機能させるための各種処理手順を、コンピュータシステムに実行させるためのプログラム。
【請求項１６】
請求項２または請求項７に記載の取得要求手段として機能させるための各種処理手順を、コンピュータシステムに実行させるためのプログラム。
【請求項１７】
請求項１０に記載の管理指令手段として機能させるための各種処理手順を、コンピュータシステムに実行させるためのプログラム。
【発明の詳細な説明】
【技術分野】
【０００１】
本発明は、画像に関する処理を行うための画像処理システム、画像処理システムを構成する画像処理装置及びサーバ、並びに、サーバの処理を実現するプログラムに関する。
【背景技術】
【０００２】
従来、デジタル複写機が備えていない機能を、ネットワークを介して接続されたホストコンピュータに備えるようにしたシステムが提案されている（特許文献１参照。）。
すなわち、このシステムでは、デジタル複写機からホストコンピュータへ、制御用のコマンドコードや画像の濃度データなどのビットデータを送信し、ホストコンピュータが、受信した制御用コマンドコードの内容を解析して、画像データに対して指定されている画像編集機能により画像処理を行う。こうしてホストコンピュータにより処理された画像データはデジタル複写機に返送され、デジタル複写機で印刷される。
【０００３】
また、このシステムでは、ホストコンピュータに新規機能が追加されると、ホストコンピュータからデジタル複写機へ新規機能の内容が送信され、デジタル複写機では、本デジタル複写機に登録したい新規機能をユーザに選択させる。つまり、このシステムでは、新規機能のうちユーザが使用したいものをデジタル複写機へ登録することにより、その機能が利用可能となる。
【特許文献１】特開平９−２３８２１５号公報
【発明の開示】
【発明が解決しようとする課題】
【０００４】
しかしながら、上述したシステムは、インターネット上の一般サーバのように日々サービスが無秩序に増減する環境には適さないという問題がある。
すなわち、上記システムでは、ホストコンピュータに新規機能が追加された場合に、その機能をデジタル複写機へ登録することにより利用可能となるが、例えば、インターネット上の一般サーバのように多種多様なサービスが頻繁に増減する環境においては、デジタル複写機への登録作業も頻繁に行う作業が生じ、また、登録する情報量も膨大となる。
【０００５】
本発明は、こうした問題にかんがみてなされたものであり、インターネット上の一般サーバのように日々サービスが無秩序に増減する環境に適応させることのできる画像処理システムを提供することを目的としている。
【課題を解決するための手段】
【０００６】
上記目的を達成するためになされた請求項１に記載の画像処理システムは、画像を読み取りその画像を表す画像データを生成する機能および画像データの表す画像を印刷する機能のうち少なくとも一方の機能を有する画像処理装置と、該画像処理装置からの要求に応じて、該画像処理装置の有する機能により生成された画像データおよび印刷される画像を示す画像データのうち少なくとも一方に関するサービスを提供するサービス提供手段と、  を備えた画像処理システムである。さらに、前記画像処理装置において、前記サービス提供手段によるサービスの提供を受ける際に必要なパラメータである提供パラメータを取得するパラメータ取得手段と、前記サービス提供手段に対してサービスの提供を要求するサービス要求手段と、該サービス要求手段による要求を受けた前記サービス提供手段によりサービスの提供を受けるにあたり、前記パラメータ取得手段により取得された提供パラメータに基づいて当該画像処理装置の有する機能を実現するサービス実現手段と、が備えられている。そして、前記サービス提供手段において、前記画像処理装置の備えるサービス要求手段による要求を受けた際に、該画像処理装置に対してサービスを提供するための処理を実行する提供実行手段が備えられている。
【０００７】
このように構成された画像処理システムにおいて、画像処理装置は、サービス提供手段によりサービスの提供を受けて機能を実現することとなるが、このときの機能は、パラメータ取得手段により取得された提供パラメータに基づいて実現されることから、インターネット上の一般サーバのように日々サービスが無秩序に増減する環境にも適応させることができる。
【０００８】
仮に、従来の構成のように、新規サービスについての情報を画像処理装置に登録していく構成とした場合、サービスが無秩序に増減する環境においては、そのサービスの実行に必要なパラメータの仕様などがその後に変更されてしまうと、新規サービスについての情報が画像処理装置に登録されていたとしても、そのような新規サービスの提供を正常に受けることができなくなる。このような問題を解決するためには、仕様などの変更に伴うパラメータの設定手順などをも画像処理装置側で管理するようにすればよいが、それにより、画像処理装置側の負担が大きくなってしまうため、望ましいことではない。
【０００９】
これに対し、本発明の画像処理システムでは、サービスの実行に必要なパラメータが画像処理装置により随時取得されるため、パラメータの仕様が変更される状況下においても、画像処理装置の負担を抑えることができる。
【００１０】
なお、上述した「サービス提供手段」は、例えば、ネットワーク上のサーバとして構成することができる。この場合、サービス提供手段は、単一のサーバにより構成されていてもよく、複数のサーバにより構成されていてもよい。
【００１１】
このサービス提供手段により提供されるサービスのうち、「画像処理装置の有する機能により生成された画像データに関するサービス」としては、例えば、画像データが表す画像の加工処理（拡大／縮小、白黒反転、翻訳等）、画像データが表す画像に含まれるテキストを音声に変換する処理、画像データを画像処理装置とは別に設けられた記憶手段（例えばサーバ）に保存する処理などが挙げられる。また、「画像処理装置の有する機能により印刷される画像を表す画像データに関するサービス」としては、例えば、画像データが表す画像の加工処理（拡大／縮小、白黒反転、翻訳等）、音声をその音声が表すテキストの画像に変換する処理、指定した条件に適合したインターネット上の情報を印刷画像に変換する処理などが挙げられる。
【００１２】
また、「画像処理装置」としては、例えば、画像印刷装置（プリンタ装置）、画像読取装置（スキャナ装置）、ファクシミリ装置、これらの機能を有した複合機などが挙げられる。
【００１３】
また、画像処理装置の備えるパラメータ取得手段は、提供パラメータを取得する手段であり、このように取得するための構成としては特に限定されない。
例えば、ユーザにより指定された提供パラメータを取得する、といった構成が考えられ、このためには、請求項２に記載のように、前記提供パラメータの取得を前記画像処理装置に対して要求する取得要求手段を備え、前記画像処理装置において、前記パラメータ取得手段は、前記取得要求手段による要求を受けた際に、ユーザに前記提供パラメータを指定させると共に、該指定された提供パラメータを取得する、といった構成が考えられる。
【００１４】
このように構成すれば、画像処理装置は、取得要求手段による要求を受けたことを契機に提供パラメータを取得し、こうして取得した提供パラメータに基づいて、サービス提供手段によるサービスの提供を受けて機能を実現することができる。
【００１５】
この構成における「取得要求手段」は、例えば、ネットワーク上のサーバとして構成することができる。この場合、取得要求手段は、単一のサーバにより構成されていてもよく、複数のサーバにより構成されていてもよい。
【００１６】
また、上述した画像処理装置の備えるサービス要求手段は、どのようなタイミングでサービスの提供を要求するように構成してもよいが、例えば、請求項３に記載のように、ユーザの操作を受けて前記サービス提供手段に対してサービスの提供を要求する、ように構成すればよい。
【００１７】
このように構成すれば、画像処理装置側では、ユーザが任意のタイミングでサービス提供手段からのサービスの提供を受けることができる。
また、請求項４に記載の画像処理システムは、前記画像処理装置において、前記パラメータ取得手段により取得された提供パラメータを前記サービス提供手段に通知する取得パラメータ通知手段が備えられており、前記サービス提供手段において、前記画像処理装置に対し、該画像処理装置の備える前記取得パラメータ通知手段にて通知された提供パラメータに基づいて該画像処理装置の備えるサービス実現手段により機能を実現すべき旨を通知する実現パラメータ通知手段が備えられており、さらに、前記画像処理装置において、前記サービス実現手段は、前記サービス提供手段の備える実現パラメータ通知手段にて通知された内容で示される前記提供パラメータに基づいて当該画像処理装置の有する機能を実現する、ように構成されている。
【００１８】
このように構成すれば、画像処理装置側で取得された提供パラメータが、サービス提供手段側へ通知され、その後、この提供パラメータに基づいて機能を実現すべき旨がサービス提供手段から画像処理装置に通知される。そのため、画像処理装置は、こうして通知された提供パラメータに基づいて機能を実現するだけでよく、画像処理装置自身が提供パラメータを管理する必要がない。
【００１９】
この構成において、画像処理装置におけるサービス実現手段は、サービス提供手段の備える実現パラメータ通知手段による通知を受けた以降に、サービス提供手段の備える提供実行手段によるサービスの提供を受けて機能を実現するように構成すればよい。
【００２０】
より具体的には、請求項５に記載のように、前記サービス実現手段は、前記サービス提供手段の備える実現パラメータ通知手段にて通知を受けた際に、当該画像処理装置の有する機能を実現する、ように構成されている、とよい。
【００２１】
このように構成すれば、画像処理装置は、提供パラメータの通知を受けた際に、サービス提供手段によるサービスの提供を受けて機能を実現することができる。
ところで、上述した提供パラメータは、サービス提供手段によるサービスの提供を受ける際に必要なパラメータであるが、画像処理装置の有する機能以外の事項に関するパラメータが含まれていることも考えられる。ここで、この機能以外の事項に関するパラメータのみをサービス提供手段側に通知して、機能に関するパラメータについては、サービス提供手段側に通知することなく、画像処理装置側で登録しておき、それを機能の実現時に利用するように構成することも考えられる。このように構成すれば、機能以外の事項に関するパラメータが画像処理装置とサービス提供手段との間で流通しないため、この間のトラフィックの軽減に寄与することが期待できる。
【００２２】
このためには、例えば、請求項６に記載のように、前記画像処理装置において、前記パラメータ取得手段により取得された提供パラメータを、当該画像処理装置の有する機能に関する第１提供パラメータ，および，当該画像処理装置の有する機能以外に関する第２提供パラメータそれぞれに分類するパラメータ分類手段が備えられ、前記取得パラメータ通知手段は、前記パラメータ分類手段により第２提供パラメータとして分類される提供パラメータを通知して、前記サービス実現手段は、前記サービス提供手段の備える実現パラメータ通知手段にて通知された内容で示される前記提供パラメータ，および，前記パラメータ分類手段により第１提供パラメータとして分類される提供パラメータに基づいて当該画像処理装置の有する機能を実現する、ように構成するとよい。
【００２３】
このように構成すれば、画像処理装置は、画像処理装置の有する機能に関するパラメータについてのみ、サービス提供手段に通知するようにすることができる。
なお、この構成において、画像処理装置の備えるパラメータ取得手段が、提供パラメータを取得するタイミングについては特に限定されない。例えば、ユーザの操作を受けたタイミングで取得する、といった構成が考えられる。また、画像処理装置外部からの指令を受けて取得する、といった構成も考えられ、この場合、例えば、請求項７に記載のように構成することが考えられる。
【００２４】
請求項７に記載の画像処理システムは、前記提供パラメータの取得を前記画像処理装置に対して要求する取得要求手段を備え、該取得要求手段は、前記画像処理装置の有する機能に関するパラメータを含む複数のパラメータそれぞれの提供パラメータとしての指定を前記画像処理装置に対して要求するように構成されており、前記画像処理装置において、前記パラメータ取得手段は、前記取得要求手段による要求を受けた際に、当該画像処理装置の有する機能に関するパラメータを含む複数のパラメータをそれぞれ提供パラメータとして取得する、ように構成されている。
【００２５】
このように構成すれば、画像処理装置は、取得要求手段による要求を受けたタイミングで提供パラメータを取得することができる。また、このとき、提供パラメータとして、少なくとも機能に関するパラメータを含む複数のパラメータを取得することができる。
【００２６】
また、上述したパラメータ分類手段により第１提供パラメータとして分類される提供パラメータについては、画像処理装置側で登録できるようにしておくとよく、このためには、例えば、請求項８に記載のように構成することが考えられる。
【００２７】
請求項８に記載の画像処理システムは、前記画像処理装置において、前記パラメータ分類手段により第１提供パラメータとして分類される提供パラメータを登録するパラメータ登録手段が備えられており、前記サービス実現手段は、前記サービス提供手段の備える実現パラメータ通知手段にて通知された内容で示される前記提供パラメータ，および，前記パラメータ登録手段により登録された提供パラメータに基づいて当該画像処理装置の有する機能を実現する、ように構成されている。
【００２８】
このように構成しておけば、画像処理装置は、第１提供パラメータとして分類された提供パラメータをパラメータ登録手段により登録することができ、こうして登録された提供パラメータのうちの該当する提供パラメータを利用して機能を実現することができる。
【００２９】
なお、この構成におけるパラメータ登録手段とは、例えば、画像処理装置自身，または，画像処理装置とデータ通信可能な他の装置に確保された記憶領域に提供パラメータを登録する（または、提供パラメータが登録されてなるデータテーブルを記憶する）、といったことである。
【００３０】
また、この構成においては、第１提供パラメータとして分類される提供パラメータを、サービス提供手段により提供されるべきサービスの提供を受ける際に実現すべき機能と対応づけて登録し、サービス実現手段は、この対応関係に基づいて該当する提供パラメータを特定できるように構成すればよい。
【００３１】
より具体的には、例えば、請求項９に記載のように、前記画像処理装置において、前記パラメータ取得手段は、複数種類のサービスそれぞれに対応する前記提供パラメータを取得して、前記サービス要求手段は、ユーザに選択されたサービスの提供を前記サービス提供手段に対して要求して、前記取得パラメータ通知手段は、前記パラメータ取得手段により取得された提供パラメータを、前記サービス要求手段により提供が要求されたサービスを特定可能な状態で前記サービス提供手段に通知して、前記パラメータ登録手段は、前記パラメータ分類手段により第１提供パラメータとして分類される提供パラメータを、前記サービス要求手段により提供が要求されたサービスの提供を受ける際に実現すべき機能を特定可能な状態で登録する、ように構成すればよい。
【００３２】
このように構成すれば、画像処理装置は、サービス要求手段により提供が要求されたサービスの提供を受けるにあたり、パラメータ登録手段により登録された提供パラメータのうち、上記要求されたサービスの提供を受ける際に実現すべき機能に対応する提供パラメータに基づいて機能を実現することができる。
【００３３】
また、上述した第２提供パラメータとして分類される提供パラメータ（機能以外に関する提供パラメータ）については、上述したように画像処理装置側で管理させる構成の他、画像処理装置およびサービス提供手段のいずれにより選択的に管理させることができるように構成することも考えられ、このためには、例えば、請求項１０に記載のように構成すればよい。
【００３４】
請求項１０に記載の画像処理システムは、前記パラメータ分類手段により前記第２提供パラメータとして分類される提供パラメータについて、前記画像処理装置および前記サービス提供手段のいずれにより管理するかを、前記画像処理装置に対して指令する管理指令手段を備えており、前記画像処理装置において、前記指定パラメータ通知手段は、前記管理指令手段により前記画像処理装置により管理すべき旨が指令される場合であれば、前記パラメータ分類手段により第２提供パラメータとして分類される提供パラメータを通知する一方、前記サービス提供手段により管理すべき旨が指令される場合であれば、前記パラメータ取得手段により取得された提供パラメータ全てについて通知する、ことを特徴とする。
【００３５】
このように構成すれば、第２提供パラメータとして分類される提供パラメータを画像処理装置およびサービス提供手段のいずれで管理するかを、管理指令手段の指令内容に応じて変更することができる。そして、管理指令手段による指令内容を変更可能に構成しておくことにより、任意に第２提供パラメータの管理先を変更することができるようになる。
【００３６】
この構成における「管理指令手段」は、例えば、ネットワーク上のサーバとして構成することができる。この場合、管理指令手段は、単一のサーバにより構成されていてもよく、複数のサーバにより構成されていてもよい。
【００３７】
また、請求項１１に記載の画像処理装置は、画像を読み取りその画像を表す画像データを生成する機能および画像データの表す画像を印刷する機能のうち少なくとも一方の機能を有する画像処理装置であって、該画像処理装置の有する機能により生成された画像データおよび印刷される画像を示す画像データのうち少なくとも一方に関するサービスを提供するサービス提供手段について、該サービス提供手段によるサービスの提供を受ける際に必要なパラメータである提供パラメータを取得するパラメータ取得手段と、前記サービス提供手段に対してサービスの提供を要求するサービス要求手段と、該サービス要求手段による要求を受けた前記サービス提供手段によりサービスの提供を受けるにあたり、前記パラメータ取得手段により取得された提供パラメータに基づいて当該画像処理装置の有する機能を実現するサービス実現手段と、が備えられている、ことを特徴とする。
【００３８】
このように構成された画像処理装置によれば、請求項１に記載の画像処理装置を構成することができるため、この画像処理装置と同様の作用，効果を得ることができる。
なお、この画像処理装置においては、請求項２から１０のいずれかに記載の画像処理装置の備える全ての手段を備えた構成とすることもでき、このような構成とすれば、この請求項２から１０に記載の画像処理装置と同様の作用，効果を得ることができる。
【００３９】
また、請求項１２に記載のサーバは、画像を読み取りその画像を表す画像データを生成する機能および画像データの表す画像を印刷する機能のうち少なくとも一方の機能を有する画像処理装置からの要求に応じて、該画像処理装置の有する機能により生成された画像データおよび印刷される画像を示す画像データのうち少なくとも一方に関するサービスを提供するサーバであって、前記画像処理装置に対し、該画像処理装置から通知された提供パラメータに基づいて該画像処理装置の有する機能を実現すべき旨を通知する実現パラメータ通知手段と、該実現パラメータ通知手段に基づき前記画像処理装置にて機能が実現されることで、該画像処理装置に対してサービスを提供するための処理を実行する提供実行手段と、を備えている、ことを特徴とする。
【００４０】
このように構成されたサーバによれば、請求項１に記載のサービス提供手段を構成することができるため、このサービス提供手段と同様の作用，効果を得ることができる。
なお、このサービス提供手段においては、請求項２から１０のいずれかに記載のサービス提供手段の備える全ての手段を備えた構成とすることもでき、このような構成とすれば、この請求項２から１０に記載のサービス提供手段と同様の作用，効果を得ることができる。
【００４１】
また、請求項１３に記載のプログラムは、請求項１から１０のいずれかに記載の画像処理システムとして機能させるための各種処理手順を、コンピュータシステムに実行させるためのプログラムである。このプログラムを実行するコンピュータシステムによれば、請求項１から１０のいずれかに記載の画像処理システムの一部を構成することができる。
【００４２】
また、請求項１４に記載のプログラムは、請求項１から１０のいずれかに記載の画像処理装置として機能させるための各種処理手順を、コンピュータシステムに実行させるためのプログラムである。このプログラムを実行するコンピュータシステムによれば、請求項１から１０のいずれかに記載の画像処理システム（画像処理装置）の一部を構成することができる。
【００４３】
また、請求項１５に記載のプログラムは、請求項１から１０のいずれかに記載のサービス提供手段として機能させるための各種処理手順を、コンピュータシステムに実行させるためのプログラムである。このプログラムを実行するコンピュータシステムによれば、請求項１から１０のいずれかに記載の画像処理システム（サービス提供手段）の一部を構成することができる。
【００４４】
また、請求項１６に記載のプログラムは、請求項２または請求項７（または、これら請求項のみを引用する請求項）に記載の取得要求手段として機能させるための各種処理手順を、コンピュータシステムに実行させるためのプログラムである。このプログラムを実行するコンピュータシステムによれば、請求項１から１０のいずれかに記載の画像処理システム（取得要求手段）の一部を構成することができる。このプログラムを実行するコンピュータシステムによれば、請求項２または請求項７（または、これら請求項のみを引用する請求項）に記載の画像処理システム（取得要求手段）の一部を構成することができる。
【００４５】
また、請求項１７に記載のプログラムは、請求項１０に記載の管理指令手段として機能させるための各種処理手順を、コンピュータシステムに実行させるためのプログラムである。このプログラムを実行するコンピュータシステムによれば、請求項１０に記載の画像処理システム（管理指令手段）の一部を構成することができる。
【００４６】
なお、上述した各プログラムは、コンピュータによる処理に適した命令の順番付けられた列からなるものであって、例えば、ＦＤ，ＣＤ−ＲＯＭ，メモリーカードなどの記録媒体やインターネットなどの通信回線網を介して、各装置（画像処理装置やサーバ），または，各装置を利用するユーザに提供されるものである。また、これらプログラムをユーザに提供する形態としては、各装置のハードディスクやメモリにプレインストールされた状態で提供する形態であってもよい。
【発明を実施するための最良の形態】
【００４７】
以下、本発明が適用された実施形態について、図面を用いて説明する。
図１は、実施形態の画像処理システムの概略構成を表すブロック図である。
同図に示すように、この画像処理システムは、複合機１０と、ディレクトリサーバ２０と、機能サーバ３０とを備えており、これらはネットワーク（本実施形態ではインターネット等の広域ネットワーク（ＷＡＮ：Ｗｉｄｅ  Ａｒｅａ  Ｎｅｔｗｏｒｋ））１を介して双方向通信可能に接続されている。具体的には、複合機１０、ディレクトリサーバ２０及び機能サーバ３０は、それぞれルータ（Ｒ）２，３，４を介してネットワーク１と接続されている。ここで、複合機１０とネットワーク１とを中継するルータ２としては、周知のブロードバンドルータが用いられている。このブロードバンドルータ２は、通常設定（デフォルト設定）の状態においては、すべてのポートが閉じられた状態となっており、内部から外部（複合機１０側からネットワーク１側）への接続要求が出されると、その要求に対する返答として整合性のとれたパケットのみを通すようになっている。つまり、ブロードバンドルータ２は、通常設定の状態においては、外部から内部へ送信されてくるデータのうち、内部から外部への要求（リクエスト）に対する返答（レスポンス）については通過させ、それ以外については遮断する。このように、ブロードバンドルータ２は、ネットワーク１から複合機１０に対する不正なアクセスを防ぐためのファイアウォールとして機能する。
【００４８】
複合機１０は、電話（音声通信）機能、スキャナ機能、プリンタ機能、コピー機能、ファクシミリ機能等を有している。そして、本画像処理システムにおいて、複合機１０は、上記機能に関連する複数種類のサービスをネットワーク１を介して利用することが可能となっている。具体的には、ネットワーク１上に設けられた機能サーバ３０が、複合機１０からの要求に応じて、複合機１０が有する上記機能に関連する複数種類のサービスを実行可能に構成されている。さらに、本画像処理システムでは、ネットワーク１上に設けられたディレクトリサーバ２０が、複合機１０がネットワーク１を介して利用可能なサービス（機能サーバ３０が実行可能なサービス）についての情報を、複合機１０へ提供可能に構成されている。
【００４９】
以下、複合機１０、ディレクトリサーバ２０及び機能サーバ３０の各構成について説明する。
○複合機１０の構成
複合機１０は、制御部１１、操作部１２、読取部１３、記録部１４、通信部１５、記憶部１６、音入力部１７、及び、音出力部１８を備えている。
【００５０】
制御部１１は、図示しない周知のＣＰＵ、ＲＯＭ、ＲＡＭ等を備えており、本複合機１０を構成する各部を統括制御する。なお、ＲＯＭには、後述する各種処理（図１１，図１３〜図１６，図１９〜図２２）をＣＰＵに実行させるためのプログラムが記憶されている。
【００５１】
操作部１２は、図２に示す操作パネル１２ａを介して、本複合機１０の利用者（ユーザ）による入力操作の受け付け及び利用者に対する情報の表示を行う。具体的には、操作パネル１２ａは、利用者による入力操作を受け付けるためのキー群として、コピーキー４１、スキャナキー４２、ＦＡＸキー４３、サービスキー４４、設定キー４５、上下左右の方向キー４６，４７，４８，４９、ＯＫキー５０、及び、キャンセルキー５１を備えている。また、操作パネル１２ａは、利用者に対する情報の表示を行うための表示部としてディスプレイ５２を備えている。
【００５２】
読取部（スキャナ）１３は、用紙等のシート状記録媒体に記録（例えば印刷）された画像を読み取り、その画像を表す画像データを生成する。
記録部（プリンタ）１４は、画像データの表す画像を用紙等のシート状記録媒体に印刷する。
【００５３】
通信部１５は、ネットワーク１を介してデータを送受信するための処理を行う。
記憶部１６は、図示しない不揮発性ＲＡＭを備えており、この不揮発性ＲＡＭにデータを記憶する。
【００５４】
音入力部１７は、本複合機１０が備える図示しないハンドセット（受話器）に設けられたマイクから音を入力し、その音を表す音データ（ＰＣＭデータ）を生成する。
音出力部１８は、音データ（ＰＣＭデータ）の表す音を、図示しないハンドセットに設けられたスピーカ、又は、複合機本体に設けられた図示しないスピーカから出力する。
○ディレクトリサーバ２０の構成
ディレクトリサーバ２０は、制御部２１、通信部２２、及び、記憶部２３を備えている。
【００５５】
制御部２１は、図示しない周知のＣＰＵ、ＲＯＭ、ＲＡＭ等を備えており、本ディレクトリサーバ２０を構成する各部を統括制御する。なお、ＲＯＭには、後述する処理（図２３）をＣＰＵに実行させるためのプログラムが記憶されている。
【００５６】
通信部２２は、ネットワーク１を介してデータを送受信するための処理を行う。
記憶部２３は、図示しないハードディスクを備えており、このハードディスクにデータを記憶する。具体的には、記憶部２３には、サービス定義情報２５を記憶するためのサービス定義情報記憶部２４が設けられている。
【００５７】
サービス定義情報２５は、機能サーバ３０が実行可能なサービスについての情報（サービスの種類及び要求先）を複合機１０へ提供するためのものである。具体的には、サービス定義情報２５は、複合機１０で受信されることにより、複合機１０が備える操作パネル１２ａのディスプレイ５２にサービスの種類を示すサービス選択用画面（図５に例示）を表示させ、複合機１０の利用者にサービスの選択を促す。ディレクトリサーバ２０は、機能サーバ３０が実行可能なサービスを、「データ保存サービス」、「印刷サービス」及び「コピー応用サービス」の３つのカテゴリに分類して管理しており、サービス選択用画面において、まず、上記３つのカテゴリを提示していずれか一つのカテゴリの選択を促し、次に、選択されたカテゴリに含まれるサービスを提示していずれか一つのサービスの選択を促すようにしている。そして、サービス定義情報記憶部２４には、カテゴリの選択を促すサービス選択用画面に対応するサービス定義情報２５（以下「トップのサービス定義情報２５」という。）と、各カテゴリに含まれるサービスの選択を促すサービス選択用画面に対応する複数のサービス定義情報２５とが記憶されている。
【００５８】
ここで、サービス定義情報２５の具体例について説明する。
図３及び図４は、サービス定義情報２５のデータ構成の一例を表す説明図である。具体的には、図３は、トップのサービス定義情報２５のデータ構成を表しており、図４は、上記３つのカテゴリのうちの一つである「コピー応用サービス」についてのサービス定義情報２５のデータ構成を表している。これらの図に示すように、サービス定義情報２５は、ＸＭＬ（ｅＸｔｅｎｓｉｂｌｅ  Ｍａｒｋｕｐ  Ｌａｎｇｕａｇｅ）により記述されており、図３及び図４で用いられている各タグの定義は表１に示すとおりである。
【００５９】
【表１】
2006135692.tif 000003
【００６０】
そして、トップのサービス定義情報２５（図３）が複合機１０で受信されると、複合機１０が備える操作パネル１２ａのディスプレイ５２には、図５（ａ）に示すサービス選択用画面が表示される。具体的には、表示用タイトル（Ｔｉｔｌｅ）として「ディレクトリサービス」の文字がディスプレイ５２における上部位置に表示され、その下には、選択可能なカテゴリを表す項目（Ｌｉｎｋ＿Ｔｉｔｌｅ）として、「データ保存サービス」、「印刷サービス」及び「コピー応用サービス」の文字が表示される。この状態で、操作パネル１２ａにおける上下方向の方向キー４６，４７が操作されることにより、項目を選択するためのカーソル（図５に示す破線の四角形）が上下に移動し、操作パネル１２ａのＯＫキー５０が押されることにより、その時点でカーソルによって指定されている項目の選択が確定される。ここで、各項目には、各カテゴリに対応するサービス定義情報２５のＩＤがそれぞれ対応づけられており（Ｌｉｎｋ＿Ｌｏｃａｔｉｏｎ）、項目の選択が確定されると、その項目に対応するＩＤのサービス定義情報２５が複合機１０で受信される。
【００６１】
例えば、図５（ａ）に示すサービス選択用画面で「コピー応用サービス」が選択されると、図４のサービス定義情報２５が複合機１０で受信され、図５（ｂ）に示すサービス選択用画面がディスプレイ５２に表示される。具体的には、表示用タイトル（Ｔｉｔｌｅ）として「コピー応用サービス」の文字がディスプレイ５２における上部位置に表示され、その下には、選択可能なサービスを表す項目（Ｌｉｎｋ＿Ｔｉｔｌｅ）として、「すかし入りコピー」、「翻訳コピー」、「原稿読み上げ」及び「音声テキスト変換」の文字が表示される。
【００６２】
ただし、ディスプレイ５２の大きさの都合上、すべての項目を一度に表示することができないため、複合機１０では、ディスプレイ５２に表示されていない項目が存在する場合には、ディスプレイ５２における項目表示位置の右側に上下の矢印（三角印）を表示し、矢印が示す方向に項目が存在する場合にはその矢印を黒く表し、項目が存在しない場合にはその矢印を白く表すことで、表示されていない項目の存在の有無を利用者が判断できるようにしている。例えば、図５（ｂ）では下向きの矢印が黒くなっており、「原稿読み上げ」の下にも別の項目が存在することを示している。このため、図５（ｂ）の状態で操作パネル１２ａにおける下向きの方向キー４７によりカーソルが下へ移動されると、項目が全体的にスクロールして、図５（ｃ）に示すように、「原稿読み上げ」の下に「音声テキスト変換」の文字が表示される。
【００６３】
そして、図５（ｂ），（ｃ）に示すサービス選択用画面においても、上述した操作により項目の選択が確定される。ここで、各項目には、各サービスを呼び出すためのＵＲＬがそれぞれ対応づけられており（Ｌｉｎｋ＿Ｌｏｃａｔｉｏｎ）、項目の選択が確定されると、その項目に対応するＵＲＬのサービスが呼び出される。
○機能サーバ３０の構成
機能サーバ３０は、制御部３１、通信部３２、及び、記憶部３３を備えている。
【００６４】
制御部３１は、図示しない周知のＣＰＵ、ＲＯＭ、ＲＡＭ等を備えており、本機能サーバ３０を構成する各部を統括制御する。なお、ＲＯＭには、後述する各種処理（図２４，図３３〜図３５）をＣＰＵに実行させるためのプログラムが記憶されている。また、制御部３１は、複合機１０の制御部１１に比べてはるかに高性能のものであり、複合機１０の制御部１１では実行困難な処理についても行うことができる。
【００６５】
通信部３２は、ネットワーク１を介してデータを送受信するための処理を行う。
記憶部３３は、図示しないハードディスクを備えており、このハードディスクにデータを記憶する。具体的には、記憶部３３には、サービスＩ／Ｆ情報３６を記憶するためのサービスＩ／Ｆ情報記憶部３４と、サービスソフトウェア３７を記憶するためのサービスソフト記憶部３５とが設けられている。
【００６６】
サービスソフトウェア３７は、複数種類のサービスを実行するためのものである。具体的には、サービスソフト記憶部３５には、複数種類のサービスソフトウェア３７が記憶されており、各サービスソフトウェア３７ごとに異なるサービスを実行する。ここで、サービスとしては、例えば、複合機１０の読取部１３により生成された画像データに関するサービス、複合機１０の音入力部１７により生成された音データに関するサービス、複合機１０の記録部１４により印刷される画像を表す画像データに関するサービス、複合機１０の音出力部１８により出力される音を表す音データに関するサービスが挙げられる。なお、後述する処理（図２５〜図３２）は、サービスソフトウェア３７に基づき実行される。
【００６７】
また、サービスＩ／Ｆ情報３６は、サービスを実行するために設定することが必要なパラメータを複合機１０へ要求するためのものである。具体的には、サービスＩ／Ｆ情報３６は、複合機１０で受信されることにより、複合機１０が備える操作パネル１２ａのディスプレイ５２に設定すべきパラメータを示すパラメータ入力用画面（図８に例示）を表示させ、複合機１０の利用者にパラメータの設定を促す。そして、サービスＩ／Ｆ情報記憶部３４には、機能サーバ３０が実行可能な複数種類のサービスのそれぞれに対応する複数種類のサービスＩ／Ｆ情報３６が記憶されている。
【００６８】
ここで、サービスＩ／Ｆ情報３６の具体例について説明する。
図６，図７は、サービスＩ／Ｆ情報３６のデータ構成の一例を表す説明図である。具体的には、複合機１０の読取部１３で読み取られた画像にＯＣＲ処理を施してその画像の内容であるテキストを認識し、そのテキストを翻訳した内容の画像を表す画像データを生成して複合機１０の記録部１４に印刷させるというサービス（翻訳コピーサービス）に対応するサービスＩ／Ｆ情報３６のデータ構成を表している。これらの図に示すように、サービスＩ／Ｆ情報３６は、上述したサービス定義情報２５と同じマークアップ言語により記述されており、図６，図７で用いられている各タグの定義は表２に示すとおりである。なお、表２における基本データは、上述したサービス定義情報２５の基本データ（表１）と同じである。
【００６９】
【表２】
2006135692.tif 000004
【００７０】
また、本実施形態において、サービスＩ／Ｆ情報記憶部３４には、同一内容のサービスＩ／Ｆ情報３６として、基本データにおける「Ｐａｒａｍ＿Ａｄｍ」が「１」となっているもの（図６）と「２」となっているもの（図７）が記憶されており、いずれのものを送信するかが、図示されない操作部による操作を経て設定されている。
【００７１】
そして、図６，図７に示すサービスＩ／Ｆ情報３６が複合機１０で受信されると、複合機１０が備える操作パネル１２ａのディスプレイ５２には、図８（ａ）に示すパラメータ入力用画面が表示される。具体的には、表示用タイトル（Ｔｉｔｌｅ）として「翻訳コピー」の文字がディスプレイ５２における上部位置に表示され、その下には、入力項目（Ｄｉｓｐ＿Ｎａｍｅ）として「言語選択」の文字が表示され、更にその下には、入力項目「言語選択」について選択可能なパラメータを表す項目（Ｄｉｓｐ＿Ｓｅｌｅｃｔ）として、「英語→日本語」及び「日本語→英語」の文字が表示される。この状態で、操作パネル１２ａにおける上下方向の方向キー４６，４７が操作されることにより、上述のサービス選択用画面と同様、項目を選択するためのカーソルが上下に移動する。
【００７２】
ここで、「翻訳コピー」に関する入力項目（Ｄｉｓｐ＿Ｎａｍｅ）としては、上記表示されている「言語選択」に加え、「スキャナ設定」、「印刷設定」及び「コメント」があるが（図６及び図７参照）、ディスプレイ５２の大きさの都合上、すべての入力項目を一度に表示することができない。そこで、複合機１０では、ディスプレイ５２に表示されていない入力項目が存在する場合には、ディスプレイ５２における入力項目表示位置の左右両側に左右の矢印（三角印）を表示し、矢印が示す方向に入力項目が存在する場合にはその矢印を黒く表し、入力項目が存在しない場合にはその矢印を白く表すことで、表示されていない入力項目の存在の有無を利用者が判断できるようにしている。例えば、図８（ａ）では右向きの矢印が黒くなっており、「言語選択」の右側にも別の入力項目が存在することを示している。このため、図８（ａ）の状態で操作パネル１２ａにおける右向きの方向キー４９が押されると、図８（ｂ）に示すように、「スキャナ設定」を入力項目としたパラメータ入力用画面に切り替わる。
【００７３】
図８（ｂ）に示すパラメータ入力用画面では、表示用タイトル（Ｔｉｔｌｅ）としての「翻訳コピー」の文字の下に、入力項目（Ｄｉｓｐ＿Ｎａｍｅ）として「スキャナ設定」の文字が表示され、更にその下には、入力項目「スキャナ設定」について選択可能なパラメータを表す項目（Ｄｉｓｐ＿Ｓｅｌｅｃｔ）として、「普通の文字」及び「細かい文字」の文字が表示される。
【００７４】
ここで、「普通の文字」とは、読取部１３のパラメータである解像度（読取解像度）を３００×３００ｄｐｉに設定することを意味し、「細かい文字」とは、解像度を６００×６００ｄｐｉに設定することを意味する。そして、この例では、「スキャナ設定」で設定可能な解像度が、複合機１０で通常設定することが可能な解像度の一部に限定されている。すなわち、複合機１０において、通常、用紙に印刷された画像を読み取る操作を行った場合には、図９（ａ）に示すように、操作パネル１２ａのディスプレイ５２に表示される設定画面において、スキャナ１３の解像度を、２００×２００ｄｐｉ、３００×３００ｄｐｉ及び６００×６００ｄｐｉの３種類から選択することができる。これに対し、翻訳コピーサービスにおいては、画像の解像度が粗いとＯＣＲ処理の精度が下がるという理由から、低解像度のパラメータである２００×２００ｄｐｉを設定不能としているのである。なお、この例では、ＯＣＲの精度を上げるためにモノクロでの読み取りに限定している。
【００７５】
一方、図８（ｂ）の状態で操作パネル１２ａにおける右向きの方向キー４９が押されると、図８（ｃ）に示すように、「印刷設定」を入力項目としたパラメータ入力用画面に切り替わる。
【００７６】
図８（ｃ）に示すパラメータ入力用画面では、表示タイトル（Ｔｉｔｌｅ）としての「翻訳コピー」の文字の下に、入力項目（Ｄｉｓｐ＿Ｎａｍｅ）として「印刷設定」の文字が表示され、更にその下には、入力項目「印刷設定」について選択可能なパラメータを表す項目（Ｄｉｓｐ＿Ｓｅｌｅｃｔ）として、「印刷速度優先」、「普通」及び「高精細」の文字が表示される。
【００７７】
ただし、ディスプレイ５２の大きさの都合上、すべての項目を一度に表示することができないため、上述のサービス選択用画面（図５（ｂ），（ｃ））と同様、ディスプレイ５２における項目表示位置の右側に上下の矢印（三角印）を表示し、矢印が示す方向に項目が存在する場合にはその矢印を黒く表し、項目が存在しない場合にはその矢印を白く表すことで、表示されていない項目の存在の有無を利用者が判断できるようにしている。例えば、図８（ｃ）の状態で操作パネル１２ａにおける下向きの方向キー４７によりカーソルが下へ移動されると、項目が全体的にスクロールして、図８（ｄ）に示すように、「普通」の下に「高精細」の文字が表示される。
【００７８】
ここで、「印刷速度優先」とは、プリンタ１４のパラメータである解像度（印刷解像度）を２００×２００ｄｐｉに設定することを意味し、「普通」とは、解像度を３００×３００ｄｐｉに設定することを意味し、「高精細」とは、解像度を６００×６００ｄｐｉに設定することを意味する。そして、この例では、「印刷設定」で設定可能な解像度が、複合機１０で通常設定することが可能な解像度の一部に限定されている。すなわち、図示しないパーソナルコンピュータにおいて、通常、複合機１０に対し画像の印刷を指示する操作を行った場合には、図９（ｂ）に示すように、パーソナルコンピュータのディスプレイに表示される設定画面において、プリンタ１４の解像度を、２００×２００ｄｐｉ、３００×３００ｄｐｉ、６００×６００ｄｐｉ及び１２００×１２００ｄｐｉの４種類から選択することができる。これに対し、翻訳コピーサービスにおいては、スキャナ１３で設定可能な読取解像度よりも高い印刷解像度を設定しても意味がないという理由から、高解像度のパラメータである１２００×１２００ｄｐｉを設定不能としているのである。なお、低解像度を設定可能としているのは、解像度を落としてでも早く印刷したいというニーズに応えるためである。また、この例では、スキャン画像がモノクロに限定されるため、これに合わせてモノクロ印刷に限定している。
【００７９】
一方、図８（ｃ）又は図８（ｄ）の状態で操作パネル１２ａにおける右向きの方向キー４９が押されると、図８（ｅ）に示すように、「コメント」を入力項目としたパラメータ入力用画面に切り替わる。
【００８０】
図８（ｅ）に示すパラメータ入力用画面では、表示タイトル（Ｔｉｔｌｅ）としての「翻訳コピー」の文字の下に、入力項目（Ｄｉｓｐ＿Ｎａｍｅ）として「コメント」の文字が表示され、更にその下には、コメントの入力欄が表示される。なお、入力欄中の黒い正方形は文字入力のためのカーソルを表す。また、コメントとして入力された内容は、例えば、印刷画像のヘッダやフッタに記載されるという形で利用される。
【００８１】
このように、翻訳コピーサービスのパラメータ入力用画面（図８（ａ）〜（ｅ））では、「言語選択」、「スキャナ設定」、「印刷設定」の各入力項目についてパラメータを選択し、さらに、コメントを入力する。そして、操作パネル１２ａのＯＫキー５０が押されることにより、その時点でカーソルによって指定されている項目（ディスプレイ５２に表示されていない入力項目については、最後に指定されていた項目）の選択が確定され、また、コメントの入力が確定する。そして、これらのパラメータは、入力データを受けて処理するプログラムのＵＲＬ（Ａｃｔｉｏｎ）へ送信される。
【００８２】
なお、ある入力項目について選択されたパラメータに基づき、別の入力項目について選択可能なパラメータを変更するようにしてもよい。例えば、スキャナ設定についてのパラメータとして「普通の文字」が選択された場合には、印刷設定についてのパラメータとして「高精細」を選択不能とするようにすれば、読取解像度が３００×３００ｄｐｉに設定されているにもかかわらず、印刷解像度が６００×６００ｄｐｉに設定されてしまうことを防ぐことができる。
○画像処理システムで行われる通信
本画像処理システムでは、複合機１０、ディレクトリサーバ２０及び機能サーバ３０が互いにデータを送受信するための通信プロトコルとして、ＨＴＴＰ１．１（ＨＴＴＰ：ＨｙｐｅｒＴｅｘｔ  Ｔｒａｎｓｆｅｒ  Ｐｒｏｔｏｃｏｌ）が用いられており、ＨＴＴＰリクエスト及びレスポンスに伴わせたメッセージにより、互いに指令及び指令に対する返答を送り合う。
【００８３】
ここで、通信し合う指令には、複合機１０側から各サーバ２０，３０に対する指令（サーバ制御指令）と、各サーバ２０，３０側から複合機１０に対する指令（複合機制御指令）とがあるが、いずれの通信も複合機１０が常にＨＴＴＰ通信のクライアント（ＨＴＴＰリクエストを発信する側）となるようにしている。これにより、ブロードバンドルータ２が通常設定のまま用いられても、各サーバ２０，３０から複合機１０への指令が遮断されてしまうことを防ぐことができる。
【００８４】
具体的には、複合機１０は、ＨＴＴＰリクエストのＰＯＳＴコマンドに伴わせたメッセージによりディレクトリサーバ２０又は機能サーバ３０に対する指令を送信する。一方、各サーバ２０，３０は、複合機１０からのＨＴＴＰリクエストのＰＯＳＴコマンドに伴わせたメッセージによる複合機制御指令の問い合わせに対し、複合機制御指令があれば、上記問い合わせに対するＨＴＴＰレスポンスのメッセージに複合機制御指令を伴わせて送信する。
【００８５】
ここで、複合機１０と機能サーバ３０との間で行われる通信の一例について、図１０のラダーチャートを用いて説明する。
複合機１０と機能サーバ３０とは、サービス起動からサービス終了までの間、一連の通信処理（セッション）を行う。このセッションにおいて、まず、複合機１０は、機能サーバ３０に対し、サービス起動を要求する。すると、機能サーバ３０は、複合機１０に対しセッションＩＤを送信する。ここで、セッションＩＤとは、機能サーバ３０においてセッションを特定するための識別子であり、以降の通信において、複合機１０はリクエストに伴いセッションＩＤを送信し、機能サーバ３０はそのセッションＩＤに基づきセッションを特定する。これにより、機能サーバ３０は、複数のセッションを同時に処理することが可能となる。
【００８６】
複合機１０は、セッションＩＤを受信すると、以降は、本複合機１０に対する指令の問い合わせである複合機指令問合せを定期的に行い、これに対する機能サーバ３０からの返答という形で指令を受ける。なお、機能サーバ３０は、複合機指令問合せに対して送信すべき指令がない場合には、指令がない旨の送信（複合機指令無し）を行う。
【００８７】
この例において、機能サーバ３０は、まず、ＵＩ（ユーザインターフェイス）ジョブ起動指令を複合機１０へ送信する。ここで、ＵＩジョブ起動指令とは、複合機１０に設けられるＵＩデバイス（操作パネル１２ａ）の利用開始を通知するものである。これにより、複合機１０と機能サーバ３０との間で、ＵＩジョブの通信処理が開始される。このＵＩジョブの通信処理は、セッションと並行して行われる。また、機能サーバ３０から複合機１０へは、ＵＩジョブ起動指令に伴い、機能サーバ３０においてジョブを特定するためのジョブＩＤ（セッションにおいて固有の識別子）が送信される。そして、複合機１０は、ＵＩジョブの通信処理において、リクエストに伴いセッションＩＤ及びジョブＩＤを送信し、機能サーバ３０は、そのセッションＩＤ及びジョブＩＤに基づきジョブを特定する。これにより、機能サーバ３０は、複数のジョブを同時に処理することが可能となる。なお、ＵＩジョブの通信処理の内容については後述する。
【００８８】
続いて、機能サーバ３０は、所定のタイミングで、入力ジョブ起動指令を複合機１０へ送信する。ここで、入力ジョブ起動指令とは、複合機１０に設けられる入力デバイス（読取部１３又は音入力部１７）の利用開始を通知するものである。これにより、複合機１０と機能サーバ３０との間で、入力ジョブの通信処理が開始される。そして、この入力ジョブの通信処理も、ＵＩジョブと同様、セッションと並行して行われる。また、機能サーバ３０から複合機１０へは、入力ジョブ起動指令に伴いジョブＩＤが送信される。そして、複合機１０は、入力ジョブの通信処理において、リクエストに伴いセッションＩＤ及びジョブＩＤを送信し、機能サーバ３０は、そのセッションＩＤ及びジョブＩＤに基づきジョブを特定する。なお、入力ジョブの通信処理の内容については後述する。
【００８９】
続いて、機能サーバ３０は、所定のタイミングで、出力ジョブ起動指令を複合機１０へ送信する。ここで、出力ジョブ起動指令とは、複合機１０に設けられる出力デバイス（記録部１４又は音出力部１８）の利用開始を通知するものである。これにより、複合機１０と機能サーバ３０との間で、出力ジョブの通信処理が開始される。そして、この出力ジョブの通信処理も、ＵＩジョブや入力ジョブと同様、セッションと並行して行われる。また、機能サーバ３０から複合機１０へは、出力ジョブ起動指令に伴いジョブＩＤが送信される。そして、複合機１０は、出力ジョブの通信処理において、リクエストに伴いセッションＩＤ及びジョブＩＤを送信し、機能サーバ３０は、そのセッションＩＤ及びジョブＩＤに基づきジョブを特定する。なお、出力ジョブの通信処理の内容については後述する。
【００９０】
続いて、機能サーバ３０は、所定のタイミングで、出力ジョブを終了することの通知である出力ジョブ終了指令を複合機１０へ送信する。
続いて、機能サーバ３０は、所定のタイミングで、入力ジョブを終了することの通知である入力ジョブ終了指令を複合機１０へ送信する。
【００９１】
続いて、機能サーバ３０は、所定のタイミングで、ＵＩジョブを終了することの通知であるＵＩジョブ終了指令を複合機１０へ送信する。
続いて、機能サーバ３０は、所定のタイミングで、サービスを終了することの通知であるサービス終了指令を複合機１０へ送信する。
【００９２】
以上が、セッションの内容である。
次に、ＵＩジョブの通信処理について説明する。
ＵＩジョブの通信処理において、まず、複合機１０は、機能サーバ３０に対し、本複合機１０に対する指令の問い合わせである複合機ジョブ指令問合せを行う。すると、機能サーバ３０は、複合機１０に対しパラメータ要求を送信する。ここで、パラメータ要求とは、サービスの実行に必要なパラメータを複合機１０の利用者に設定させるためのものであり、機能サーバ３０から複合機１０へは、パラメータ要求に伴いサービスＩ／Ｆ情報３６が送信される。
【００９３】
複合機１０は、機能サーバ３０からパラメータ要求を受信すると、サービスＩ／Ｆ情報３６に基づくパラメータ入力用画面を操作パネル１２ａのディスプレイ５２に表示させる（例えば図８）。そして、利用者により設定されたパラメータを、機能サーバ３０へ送信する。
【００９４】
機能サーバ３０は、複合機１０からパラメータを受信すると、機能サーバ３０が複合機１０からの情報を正常に受け取ることができたか否かを表す通知であるサーバ受取状況を送信する。
【００９５】
そして、複合機１０は、機能サーバ３０から受信したサーバ受取状況により機能サーバ３０がパラメータを正常に受信したことを確認すると、機能サーバ３０に対し、サービスの状態に関する情報の要求であるサービス状態情報要求を行う。
【００９６】
機能サーバ３０は、複合機１０からサービス状態情報要求を受信すると、機能サーバ３０及びサービスの状態の通知であるサービス状態情報を複合機１０へ送信する。
以降は、サービス状態情報要求と、これに対するサービス状態情報の送信が繰り返される。
【００９７】
次に、入力ジョブの通信処理について説明する。
入力ジョブの通信処理において、まず、複合機１０は、機能サーバ３０に対し、本複合機１０の状態に関する情報である複合機状態情報を送信する。すると、機能サーバ３０は、必要に応じて複合機１０に対し複合機パラメータを送信する。ここで、複合機パラメータとは、ＵＩジョブの通信処理で複合機１０の利用者に設定させた入力デバイスのパラメータである。
【００９８】
複合機１０は、機能サーバ３０から複合機パラメータを受信すると、複合機１０が機能サーバ３０からの情報を正常に受け取ることができたか否かを表す通知である複合機受取状況を送信する。
【００９９】
そして、機能サーバ３０は、複合機パラメータを送信した場合であれば、複合機１０からの複合機受取状況により複合機１０が情報を正常に受信したことを確認した後、複合機１０に対し、ジョブに対応した入力データの要求である入力データ要求を送信する。一方、複合機パラメータを送信しない場合であれば、複合機状態情報を受信した後、複合機１０に対して入力データ要求を送信する。ここで、ジョブに対応した入力データとは、スキャンジョブ（読取部１３で生成された画像データに関するサービスで実行されるジョブ）であれば読取部１３で生成された画像データ、音声入力ジョブ（音入力部１７で生成された音データに関するサービスで実行されるジョブ）であればＰＣＭデータである。
【０１００】
複合機１０は、機能サーバ３０から入力データ要求を受信すると、入力操作（画像の読み取り操作や音声入力操作）を利用者に促す表示等を行い、その結果生成した入力データを機能サーバ３０へ送信する。
【０１０１】
機能サーバ３０は、複合機１０から入力データを受信すると、機能サーバ３０及びサービスの状態の通知であるサービス状態情報を複合機１０へ送信する。
次に、出力ジョブの通信処理について説明する。
【０１０２】
出力ジョブの通信処理において、まず、複合機１０は、機能サーバ３０に対し、複合機１０の状態に関する情報である複合機状態情報を送信する。すると、機能サーバ３０は、必要に応じて複合機１０に対し複合機パラメータを送信する。ここで、複合機パラメータとは、ＵＩジョブの通信処理で複合機１０の利用者に設定させた出力デバイスのパラメータである。
【０１０３】
複合機１０は、機能サーバ３０から複合機パラメータを受信すると、複合機１０が機能サーバ３０からの情報を正常に受け取ることができたか否かを表す通知である複合機受取状況を送信する。
【０１０４】
そして、機能サーバ３０は、複合機パラメータを送信した場合であれば、複合機１０からの複合機受取状況により複合機１０が情報を正常に受信したことを確認した後、複合機１０に対し、出力データを送信する。一方、複合機パラメータを送信しない場合であれば、複合機状態情報を受信した後、複合機１０に対して出力データを送信する。ここで、出力データとは、印刷ジョブ（記録部１４で印刷する画像を表す画像データに関するサービスで実行されるジョブ）であれば画像データ、音声出力ジョブ（音出力部１８で出力する音声を表すＰＣＭデータに関するサービスで実行されるジョブ）であればＰＣＭデータである。
【０１０５】
複合機１０は、機能サーバ３０から出力データを受信すると、出力データに基づく出力処理（画像の印刷や音声の出力）を行う。そして、複合機１０は、複合機１０の状態に関する情報である複合機状態情報を機能サーバ３０へ送信する。
【０１０６】
機能サーバ３０は、複合機１０から複合機状態情報を受信すると、機能サーバ３０及びサービスの状態の通知であるサービス状態情報を複合機１０へ送信する。
○複合機１０による複合機処理
以下に、複合機１０の制御部１１が行う複合機処理について、図１１のフローチャートを用いて説明する。なお、本複合機処理は、複合機１０の電源が投入されることにより開始される。
【０１０７】
この複合機処理が開始されると、まず、Ｓ１０１で、本複合機１０の初期化処理を行う。
続いて、Ｓ１０２では、複合機１０への入力を受ける。ここで、複合機１０への入力とは、複合機１０に何らかの処理を開始させるための入力であり、例えば、操作パネル１２ａでのキー入力や、図示しないパーソナルコンピュータ等からの指令の入力などが挙げられる。
【０１０８】
続いて、Ｓ１０３では、Ｓ１０２で受けた入力が、機能サーバ３０にサービスを要求する動作モードであるサービスモードへ移行するための入力であるか否かを判定する。具体的には、Ｓ１０２で受けた入力が、操作パネル１２ａにおけるサービスキー４４の押し操作であるか否かを判定する。
【０１０９】
このＳ１０３で、サービスモードへ移行するための入力でないと判定した場合には、Ｓ１０４へ移行し、Ｓ１０２で受けた入力に応じたその他のモードの処理（例えば、画像の印刷処理）を行い、Ｓ１０２へ戻る。
【０１１０】
一方、Ｓ１０３で、サービスモードへ移行するための入力であると判定した場合には、Ｓ１０５へ移行し、機能サーバ３０に要求するサービスをリストから選択するか否かを判定する。具体的には、図１２に示す選択画面を操作パネル１２ａのディスプレイ５２に表示させ、機能サーバ３０に要求するサービスを決定する方法として、リストから選択するという方法及び所望のサービスの要求先ＵＲＬを直接入力するという方法のうち、いずれか一方の方法を選択させる。
【０１１１】
このＳ１０５で、機能サーバ３０に要求するサービスをリストから選択すると判定した場合（「リストから選択」が選択された場合）には、Ｓ１０６へ移行し、ディレクトリサーバ２０にサービス一覧の照会を要求する。具体的には、ディレクトリサーバ２０に対しトップのサービス定義情報２５（図３）の送信を要求する。なお、この例において、複合機１０には、トップのサービス定義情報２５を要求するための通信先アドレス（ＵＲＬ）が記憶部１６にあらかじめ記憶されている。
【０１１２】
そして、Ｓ１０７では、Ｓ１０６での要求に対してディレクトリサーバ２０から送信されたトップのサービス定義情報２５を受信する。
さらに、Ｓ１０８では、Ｓ１０７で受信したサービス定義情報２５に基づくサービス選択用画面を操作パネル１２ａのディスプレイ５２に表示させ（図５（ａ））、Ｓ１１０へ移行する。
【０１１３】
一方、Ｓ１０５で、機能サーバ３０に要求するサービスをリストから選択しないと判定した場合（「直接入力」が選択された場合）には、Ｓ１０９へ移行し、ＵＲＬを直接入力するためのアドレス入力画面（図示せず）を操作パネル１２ａのディスプレイ５２に表示させ、Ｓ１１０へ移行する。
【０１１４】
Ｓ１１０では、機能サーバ３０に要求するサービスを決定するための利用者による入力操作を操作パネル１２ａで受ける。
続いて、Ｓ１１１では、Ｓ１１０で受けた入力操作がリンク選択のための操作であるか否かを判定する。具体的には、Ｓ１０８で表示した情報に基づき選択操作が正常に行われた場合、又は、Ｓ１０９で表示したアドレス入力画面にＵＲＬの入力が正常に行われた場合に、リンク選択のための操作であると判定する。
【０１１５】
このＳ１１１で、リンク選択のための操作でないと判定した場合には、Ｓ１１２へ移行し、Ｓ１１０で受けた入力操作が、サービスモードを終了するための停止操作であるか否かを判定する。
【０１１６】
そして、Ｓ１１２で、サービスモードを終了するための停止操作であると判定した場合には、Ｓ１０２へ戻る。つまり、サービスモードとしての処理を終了する。
一方、Ｓ１１２で、サービスモードを終了するための停止操作でないと判定した場合には、Ｓ１１３へ移行し、拒否音（ブザー音等）を鳴動した後、Ｓ１１０へ戻る。つまり、Ｓ１１０で受けた入力操作が、リンク選択のための操作でなく、停止操作でもない場合に、拒否音によって利用者に報知するようにしている。
【０１１７】
また、上記Ｓ１１１で、リンク選択のための操作であると判定した場合には、Ｓ１１４へ移行し、選択されたＵＲＬがサービスのＵＲＬであるか否かを判定する。
このＳ１１４で、サービスのＵＲＬでない（サービス定義情報２５のＵＲＬである）と判定した場合には、Ｓ１１５へ移行し、Ｌｉｎｋ＿Ｌｏｃａｔｉｏｎが示す情報（ＵＲＬを直接入力した場合には、そのＵＲＬが示す情報）に基づき、ディレクトリサーバ２０へサービスの照会を要求（サービス定義情報２５の送信を要求）し、要求したサービス定義情報２５をディレクトリサーバ２０から受信する。その後、Ｓ１０８へ戻る。これにより、新たなサービス選択用画面を操作パネル１２ａのディスプレイ５２に表示させる。
【０１１８】
一方、Ｓ１１４で、サービスのＵＲＬであると判定した場合には、Ｓ１１６へ移行し、後述するセッション処理（図１３）を実施した後、Ｓ１０２へ戻る。
○複合機１０によるセッション処理
以下に、複合機処理（図１１）におけるＳ１１６で実行されるセッション処理について、図１３のフローチャートを用いて説明する。
【０１１９】
このセッション処理が開始されると、まず、Ｓ２０１で、利用するサービスを選択し、サービス定義情報２５のＬｉｎｋ＿Ｌｏｃａｔｉｏｎ（ＵＲＬを直接入力した場合には、そのＵＲＬ）に基づきサービスを起動する。つまり、サービスのＵＲＬへサービス起動指令を送信することにより、利用者により選択されたサービスを起動させる。
【０１２０】
続いて、Ｓ２０２では、機能サーバ３０からセッションＩＤを受信する。なお、セッションＩＤは、機能サーバ３０の制御部３１により実行される後述の機能サーバ処理（図２４）におけるＳ８０５の処理で生成され、Ｓ８０９の処理で送信される。
【０１２１】
続いて、Ｓ２０３では、複合機に対する指令の問い合わせである「複合機指令問合せ」を機能サーバ３０へ送信する。なお、複合機指令問合せに伴い、Ｓ２０２の処理で受信したセッションＩＤが送信される。
【０１２２】
続いて、Ｓ２０４では、Ｓ２０３で送信した「複合機指令問合せ」に対して返信される指令を受信する。
続いて、Ｓ２０５では、Ｓ２０４で受信した指令がジョブ起動指令であるか否かを判定する。なお、ジョブ起動指令は、機能サーバ３０の制御部３１により実行される後述のセッション処理（図２６）におけるＳ１００３，Ｓ１００７，Ｓ１０１１の各処理で出力される。また、ジョブ起動指令に伴い、ジョブＩＤとジョブの通信先ＵＲＬとが送信されてくる。
【０１２３】
このＳ２０５で、ジョブ起動指令であると判定した場合には、Ｓ２０６へ移行して、ジョブの起動に必要なリソースを確保し、更にＳ２０７へ移行して、指定ジョブの起動処理を開始する。その後、Ｓ２０８へ移行し、所定インターバル待機した後、Ｓ２０３へ戻る。
【０１２４】
一方、Ｓ２０５で、ジョブ起動指令でないと判定した場合には、Ｓ２０９へ移行し、Ｓ２０４で受信した指令がジョブ終了指令であるか否かを判定する。なお、ジョブ終了指令は、機能サーバ３０の制御部３１により実行される後述のセッション処理（図２７）におけるＳ１０１９，Ｓ１０２１，Ｓ１０２３の各処理で出力される。また、ジョブ終了指令に伴い、終了するジョブに対応するジョブＩＤが送信されてくる。
【０１２５】
このＳ２０９で、ジョブ終了指令であると判定した場合には、Ｓ２１０へ移行して、ジョブＩＤに対応するジョブを停止し、リソースを解放する。その後、Ｓ２０８へ移行し、所定インターバル待機した後、Ｓ２０３へ戻る。
【０１２６】
一方、Ｓ２０９で、ジョブ終了指令でないと判定した場合には、Ｓ２１１へ移行し、Ｓ２０４で受信した指令が「指令なし」を表すものであるか否かを判定する。つまり、Ｓ２０３で送信した「複合機指令問合せ」に対する返信が、指令がないことを表す送信であるか否かを判定するのである。
【０１２７】
このＳ２１１で、Ｓ２０４で受信した指令が「指令なし」を表すものであると判定した場合には、Ｓ２０８へ移行し、所定インターバル待機した後、Ｓ２０３へ戻る。
一方、Ｓ２１１で、Ｓ２０４で受信した指令が「指令なし」を表すものでないと判定した場合には、Ｓ２１２へ移行し、Ｓ２０４で受信した指令がセッションの終了指令であるか否かを判定する。なお、セッションの終了指令は、機能サーバ３０の制御部３１により実行される後述のセッション処理（図２７）におけるＳ１０２６の処理で送信される
このＳ２１２で、終了指令であると判定した場合には、本セッション処理を終了する。
【０１２８】
一方、Ｓ２１２で、終了指令でないと判定した場合、つまり、Ｓ２０４で受信した指令が、ジョブ起動の指令、ジョブ終了の指令、「指令なし」を表すもの、及び、セッションの終了指令のうちのいずれでもない場合には、Ｓ２１３へ移行し、指令エラーの処理（例えば、エラーである旨のメッセージを操作パネル１２ａのディスプレイ５２に表示させる処理）を行う。その後、本セッション処理を終了する。
○複合機１０による指定ジョブの起動処理
以下に、セッション処理（図１３）におけるＳ２０７の処理により開始される指定ジョブの起動処理について、図１４のフローチャートを用いて説明する。
【０１２９】
この指定ジョブの起動処理が開始されると、まず、Ｓ３０１で、ジョブ起動指令で指定されたジョブがＵＩジョブであるか否かを判定する。
そして、Ｓ３０１で、ジョブ起動指令で指定されたジョブがＵＩジョブであると判定した場合には、Ｓ３０２へ移行し、ジョブＩＤ、ジョブの通信先ＵＲＬを渡してＵＩジョブを起動した後、本指定ジョブの起動処理を終了する。
【０１３０】
一方、Ｓ３０１で、ジョブ起動指令で指定されたジョブがＵＩジョブでないと判定した場合には、Ｓ３０３へ移行し、ジョブ起動指令で指定されたジョブがスキャンジョブ（Ｓｃａｎジョブ）であるか否かを判定する。
【０１３１】
このＳ３０３で、ジョブ起動指令で指定されたジョブがスキャンジョブでないと判定した場合には、Ｓ３０４へ移行し、ジョブ起動指令で指定されたジョブがボイスジョブ（Ｖｏｉｃｅジョブ）であるか否かを判定する。
【０１３２】
そして、Ｓ３０４で、ジョブ起動指令で指定されたジョブがボイスジョブでないと判定した場合には、Ｓ３０６へ移行する。
一方、Ｓ３０３で、ジョブ起動指令で指定されたジョブがスキャンジョブであると判定した場合、又は、Ｓ３０４で、ジョブ起動指令で指定されたジョブがボイスジョブであると判定した場合には、Ｓ３０５へ移行し、ジョブＩＤ、ジョブの通信先ＵＲＬを渡して入力ジョブを起動した後、本指定ジョブの起動処理を終了する。なお、このジョブ起動指令は、機能サーバ３０側において、サービスＩ／Ｆ情報３６の基本データにおける「Ｐａｒａｍ＿Ａｄｍ」が「１」となっているもの（図６）と「２」となっているもの（図７）のいずれを送信するように設定されているかにより、異なる入力ジョブ（入力ジョブ１または入力ジョブ２）の起動を指令するものとなっている。
【０１３３】
Ｓ３０６では、ジョブ起動指令で指定されたジョブがプリントジョブ（Ｐｒｉｎｔジョブ）であるか否かを判定する。
このＳ３０６で、ジョブ起動指令で指定されたジョブがプリントジョブでないと判定した場合には、Ｓ３０７へ移行し、ジョブ起動指令で指定されたジョブがスピーカジョブ（Ｓｐｅａｋｅｒジョブ）であるか否かを判定する。
【０１３４】
そして、Ｓ３０７で、ジョブ起動指令で指定されたジョブがスピーカジョブでないと判定した場合、つまり、ジョブ起動指令で指定されたジョブがＵＩジョブ、スキャンジョブ、ボイスジョブ、プリントジョブ及びスピーカジョブのうちのいずれでもないと判定した場合には、そのまま本指定ジョブの起動処理を終了する。
【０１３５】
一方、Ｓ３０６で、ジョブ起動指令で指定されたジョブがプリントジョブであると判定した場合、又は、Ｓ３０７で、ジョブ起動指令で指定されたジョブがスピーカジョブであると判定した場合には、Ｓ３０８へ移行し、ジョブＩＤ、ジョブの通信先ＵＲＬを渡して出力ジョブを起動した後、本指定ジョブの起動処理を終了する。なお、このジョブ起動指令は、機能サーバ３０側において、サービスＩ／Ｆ情報３６の基本データにおける「Ｐａｒａｍ＿Ａｄｍ」が「１」となっているもの（図６）と「２」となっているもの（図７）のいずれを送信するように設定されているかにより、異なる出力ジョブ（出力ジョブ１または出力ジョブ２）の起動を指令するものとなっている。
○複合機１０によるＵＩジョブ
以下に、指定ジョブの起動処理（図１４）におけるＳ３０２でセッション処理と並列に動作するように起動されるＵＩジョブについて、図１５のフローチャートを用いて説明する。
【０１３６】
このＵＩジョブが開始されると、まず、Ｓ４００で、送信用データとして、複合機１０に対する指令の問合せである複合機ジョブ指令問合せを所定領域へ書き込む。この送信用データは、後述するＳ４０６の処理で利用される情報であり、このデータとして書き込まれている情報がセッションＩＤ及びジョブＩＤとともに機能サーバ３０へ送信される。なお、送信用データの格納領域は、複合機１０の制御部１１内に備えられた図示しないＲＡＭの所定領域に設けられている。
【０１３７】
次に、Ｓ４０１で、セッションからの終了指示があったか否かを判定する。なお、セッションからの終了指示は、複合機１０の制御部１１により実行されるセッション処理（図１３）におけるＳ２１０の処理により出力される。
【０１３８】
このＳ４０１で、セッションからの終了指示があったと判定した場合には、Ｓ４０２へ移行し、セッションへ終了を通知した後、本ＵＩジョブを終了する。
一方、Ｓ４０１で、セッションからの終了指示がないと判定した場合には、Ｓ４０３へ移行し、操作パネル１２ａがビジー状態であるか否かを判定する。具体的には、操作パネル１２ａがビジー状態であるか否かを表すビジーフラグＦｕに基づき、ビジーフラグＦｕが立っている場合にはビジー状態であると判定し、ビジーフラグＦｕが下りている場合にはビジー状態でないと判定する。
【０１３９】
そして、Ｓ４０３で、操作パネル１２ａがビジー状態であると判定した場合には、Ｓ４０４へ移行し、操作パネル１２ａのビジー状態が解除されるまで待機した後、Ｓ４０３へ戻る。
【０１４０】
一方、Ｓ４０３で、ビジー状態でないと判定した場合には、Ｓ４０５へ移行し、ビジーフラグＦｕを立てる。
続いて、Ｓ４０６では、上述した送信用データとして書き込まれている情報をセッションＩＤ及びジョブＩＤを伴わせて機能サーバ３０へ送信する。
【０１４１】
続いて、Ｓ４０７では、Ｓ４０６で送信した情報に対して返信される複合機指令を受信する。
続いて、Ｓ４０８では、Ｓ４０７で受信した複合機指令がパラメータ要求であるか否かを判定する。なお、パラメータ要求は、機能サーバ３０の制御部３１により実行される後述のＵＩジョブ処理（図２８）におけるＳ１１０２の処理で送信される。また、パラメータ要求に伴い、サービスＩ／Ｆ情報３６が送信されてくる。
【０１４２】
このＳ４０８で、パラメータ要求であると判定した場合には、Ｓ４１０へ移行し、パラメータ設定処理を行う。そして、Ｓ４１１へ移行し、ビジーフラグＦｕを下げた後、Ｓ４０１へ戻る。
【０１４３】
一方、Ｓ４０８で、パラメータ要求でないと判定した場合には、Ｓ４１２へ移行し、Ｓ４０７で受信した複合機指令がサービス状態情報であるか否かを判定する。なお、サービス状態情報は、機能サーバ３０の制御部３１により実行される後述のＵＩジョブ処理（図２８）におけるＳ１１１３の処理で送信される。また、サービス状態情報に伴い、エラーコードとサービスＩ／Ｆ情報３６とが送信されてくる。
【０１４４】
このＳ４１２で、サービス状態情報であると判定した場合には、Ｓ４１３へ移行し、このサービス状態情報に基づく情報を、操作パネル１２ａのディスプレイ５２に表示させる。そして、Ｓ４２１へ移行し、機能サーバ３０で稼動するサービスの稼動状態の情報を要求する指令であるサービス状態情報要求を機能サーバ３０へ送信するために、そのサービス状態情報要求を送信用データとして送信用データの格納領域へ書き込む。そして、Ｓ４１１へ移行し、ビジーフラグＦｕを下げた後、Ｓ４０１へ戻る。なお、送信用データとして書き込まれたサービス状態情報要求は、その後、セッションからの終了指示がなく（Ｓ４０１：ＮＯ）、操作パネルがビジーではない（Ｓ４０３：ＮＯ）状態になると、Ｓ４０６の処理にて機能サーバ３０へ送信される。
【０１４５】
一方、Ｓ４１２で、サービス状態情報でないと判定した場合には、Ｓ４１４へ移行し、Ｓ４０７で受信した複合機指令が状態情報要求であるか否かを判定する。
このＳ４１４で、状態情報要求であると判定した場合には、Ｓ４１５へ移行し、複合機１０の状態に関する情報である複合機状態情報を機能サーバ３０へ送信するために、その複合機状態情報を送信用データとして送信用データの格納領域へ書き込む。そして、Ｓ４１１へ移行し、ビジーフラグＦｕを下げた後、Ｓ４０１へ戻る。この複合機状態情報に伴い、セッションＩＤ、ジョブＩＤ及びエラーコードが付加される。なお、送信用データとして書き込まれた複合機状態情報は、その後、セッションからの終了指示がなく（Ｓ４０１：ＮＯ）、操作パネルがビジーではない（Ｓ４０３：ＮＯ）状態になると、Ｓ４０６の処理にて機能サーバ３０へ送信される。
【０１４６】
一方、Ｓ４１４で、状態情報要求でないと判定した場合には、Ｓ４１６へ移行し、Ｓ４０７で受信した複合機指令が、機能サーバ３０が複合機１０からの情報を正常に受け取ることができたか否かを表す通知であるサーバ受取状況であるか否かを判定する。
【０１４７】
このＳ４１６で、サーバ受取状況であると判定した場合には、Ｓ４１７へ移行し、このサーバ受取状況の内容が異常受取（ＮＧ）を表すものであるか否かを判定する。
そして、Ｓ４１７で、異常受取（ＮＧ）を表すものであると判定した場合には、Ｓ４１８へ移行し、機能サーバ３０に対し、前回送信した情報を再送信するために、その再送信する情報を送信用データとして送信用データの格納領域へ書き込む。その後、Ｓ４１１へ移行し、ビジーフラグＦｕを下げた後、Ｓ４０１へ戻る。
【０１４８】
一方、Ｓ４１７で、異常受取（ＮＧ）を表すものでないと判定した場合には、Ｓ４２２で、サービスの稼動状態の情報を要求する指令であるサービス状態情報要求を機能サーバ３０へ送信するために、そのサービス状態情報要求を送信用データとして送信用データの格納領域へ書き込んだ後、Ｓ４１１へ移行し、ビジーフラグＦｕを下げた後、Ｓ４０１へ戻る。
【０１４９】
なお、Ｓ４１８、Ｓ４２２にて送信用データとして書き込まれた再送信する情報、サービス状態情報要求は、その後、セッションからの終了指示がなく（Ｓ４０１：ＮＯ）、操作パネルがビジーではない（Ｓ４０３：ＮＯ）状態になると、Ｓ４０６の処理にて機能サーバ３０へ送信される。
【０１５０】
また、Ｓ４１６で、サーバ受取状況でないと判定した場合には、Ｓ４１９へ移行し、Ｓ４０７で受信した複合機指令が「指令なし」を表すものであるか否かを判定する。つまり、Ｓ４０６で送信した「複合機ジョブ指令問合せ」に対する返信が、指令がないことを表す送信であるか否かを判定するのである。
【０１５１】
このＳ４１９で、Ｓ４０７で受信した複合機指令が「指令なし」を表すものであると判定した場合には、Ｓ４２３で、複合機１０に対する指令の問合せである複合機ジョブ指令問合せを機能サーバ３０へ送信するために、その複合機ジョブ指令問合せを送信用データとして送信用データの格納領域へ書き込んだ後、Ｓ４１１へ移行し、ビジーフラグＦｕを下げた後、Ｓ４０１へ戻る。なお、送信用データとして書き込まれた複合機ジョブ指令問合せは、その後、セッションからの終了指示がなく（Ｓ４０１：ＮＯ）、操作パネルがビジーではない（Ｓ４０３：ＮＯ）状態になると、Ｓ４０６の処理にて機能サーバ３０へ送信される。
【０１５２】
一方、Ｓ４１９で、Ｓ４０７で受信した複合機指令が「指令なし」を表すものでないと判定した場合には、Ｓ４２０へ移行し、指定エラーの処理を行う。そして、Ｓ４２５で、送信用データとして、複合機ジョブ指令問合せを所定領域へ書き込んだ後、Ｓ４１１へ移行し、ビジーフラグＦｕを下げた後、Ｓ４０１へ戻る。
○複合機１０によるパラメータ設定処理
以下に、ＵＩジョブ（図１５）におけるＳ４１０の処理により開始されるパラメータ設定処理について、図１６のフローチャートを用いて説明する。
【０１５３】
この指定ジョブの起動処理が開始されると、まず、Ｓ４３２で、サービスＩ／Ｆ情報３６に基づき、パラメータ入力用画面を操作パネル１２ａのディスプレイ５２に表示させ、パラメータの設定をするための入力操作を利用者に促す。このパラメータ入力画面に従って入力操作が行われると、その内容に応じて利用者が設定したパラメータを一時的に保存するために複製したサービスＩ／Ｆ情報の内容が変更され、これによりパラメータが設定される。利用者が設定したパラメータは、複製したサービスＩ／Ｆ情報３６の、本来は機能サーバ３０から指定されたパラメータの初期値を入力する領域に上書きする。
【０１５４】
次に、Ｓ４３４へ移行し、上述したＳ４０７にて受信したサービスＩ／Ｆ情報の基本データにおける「Ｐａｒａｍ＿Ａｄｍ」の値が「２」であるか否かをチェックする。
このＳ４３４で「Ｐａｒａｍ＿Ａｄｍ」の値が「２」でない，つまり「１」であれば、Ｓ４３６へ移行して、利用者により設定されたパラメータが反映されたサービスＩ／Ｆ情報について、このサービスＩ／Ｆ情報にて特定される全てのパラメータが登録されてなるサーバ用パラメータを生成する。
【０１５５】
ここで、図６に示すサービスＩ／Ｆ情報３６を基にサーバ用パラメータが生成される過程を説明すると、初期状態のサーバ用パラメータ（空となっている）に（図１７（ａ）参照）、まず、第１番目の「Ｆｏｒｍ＿Ｅｌｅｍ」における「Ｖａｌｕｅ＿Ｎａｍｅ＝ｌａｎｇ」のパラメータとして、「Ｏｐｔｉｏｎ」タグで挟まれた「Ｄｉｓｐ＿Ｖａｌｕｅ」のうち、「Ｄｅｆａｕｌｔ＿Ｓｅｌｅｃｔ」に「１」がセットされている「Ｏｐｔｉｏｎ」タグで挟まれた「Ｄｉｓｐ＿Ｖａｌｕｅ」の値が登録される（図１７（ｂ）参照）。この登録は、単に「Ｄｉｓｐ＿Ｖａｌｕｅ」の値だけでなく、「Ｖａｌｕｅ＿Ｎａｍｅ」の値（ここでは、ｌａｎｇ）を対応づけた状態（図１７（ｂ）における「ｌａｎｇ＝」参照）で行われる。続いて、第２番目の「Ｆｏｒｍ＿Ｅｌｅｍ」における「Ｖａｌｕｅ＿Ｎａｍｅ＝ｓｃａｎ＿ｒｅｓ」のパラメータとして、同様に、「Ｄｅｆａｕｌｔ＿Ｓｅｌｅｃｔ」に「１」がセットされている「Ｏｐｔｉｏｎ」タグで挟まれた「Ｄｉｓｐ＿Ｖａｌｕｅ」の値が登録される（図１７（ｃ）参照）。続いて、第３番目の「Ｆｏｒｍ＿Ｅｌｅｍ」における「Ｖａｌｕｅ＿Ｎａｍｅ＝ｐｒｉｎｔ＿ｒｅｓ」のパラメータとして、同様に、「Ｄｅｆａｕｌｔ＿Ｓｅｌｅｃｔ」に「１」がセットされている「Ｏｐｔｉｏｎ」タグで挟まれた「Ｄｉｓｐ＿Ｖａｌｕｅ」の値が登録される（図１７（ｄ）参照）。そして、第４番目の「Ｆｏｒｍ＿Ｅｌｅｍ」における「Ｖａｌｕｅ＿Ｎａｍｅ＝ｃｏｍｍｅｎｔ」のパラメータとして、「Ｄｅｆａｕｌｔ＿Ｓｔｒｉｎｇ」にセットされている値が登録される（図１７（ｅ）参照）。なお、上述した各「Ｄｅｆａｕｌｔ＿Ｓｅｌｅｃｔ」の値が、上述した入力操作によりユーザに入力された内容に変更（設定）されるものである。
【０１５６】
そして、Ｓ４３８へ移行して、こうして生成したサーバ用パラメータを機能サーバ３０へ送信するために、そのサーバ用パラメータを送信用データとして送信用データの格納領域へ書き込んだ後、本パラメータ設定処理を終了する。このサーバ用パラメータに伴い、セッションＩＤ及びジョブＩＤが送信される。なお、送信用データとして書き込まれたサーバ用パラメータは、その後、セッションからの終了指示がなく（Ｓ４０１：ＮＯ）、操作パネルがビジーではない（Ｓ４０３：ＮＯ）状態になると、Ｓ４０６の処理にて機能サーバ３０へ送信される。
【０１５７】
一方、Ｓ４３４で、「Ｐａｒａｍ＿Ａｄｍ」の値が「２」であれば、Ｓ４４０へ移行して、サービスパラメータ情報を生成し、デフォルト値で初期化する。ここでは、複合機１０の有する機能を実現するためのパラメータ（入力デバイスのパラメータ）として設定されている値を登録するためのデータテーブルであるサービスパラメータ情報を生成し、このサービスパラメータ情報におけるデフォルト値として読取部１３（スキャナ），記録部１４（プリンタ），音入力部１７（マイク），音出力部１８（スピーカ）の設定値を登録する（図１８（ａ）参照）。
【０１５８】
次に、Ｓ４４２で、サービスＩ／Ｆ情報３６における最初のパラメータ（第１番目の「Ｆｏｒｍ＿Ｅｌｅｍ」に対応するパラメータ）を処理対象とし、Ｓ４４４にて、この時点で全てのパラメータに対する処理が終了したか否かをチェックする。
【０１５９】
このＳ４４４がＳ４４２の直後に行われる時点では、当然、全てのパラメータに対する処理は終了していないため、Ｓ４４６に移行して、処理対象のパラメータが入出力デバイス用のパラメータであるか否かをチェックする。ここでは、複合機１０の有する機能に関するパラメータ，具体的にいうと、読取部１３（スキャナ），記録部１４（プリンタ），音入力部１７（マイク），音出力部１８（スピーカ）に関するパラメータであれば、入出力デバイス用のパラメータであると判定する。
【０１６０】
このＳ４４６において、パラメータが入出力デバイス用のパラメータであれば、Ｓ４４８に移行してこのパラメータをサービスパラメータ情報における対応するレコードに登録する一方、入出力デバイス用でなければ、Ｓ４５０に移行してこのパラメータをサーバ用パラメータに登録する、といった処理を行った後、Ｓ４５２にて、次のパラメータ（第ｎ＋１番目の「Ｆｏｒｍ＿Ｅｌｅｍ」に対応するパラメータ）を処理対象として、Ｓ４４４へ戻る。
【０１６１】
こうして、Ｓ４４４〜Ｓ４５２が全てのパラメータに対して行われることになるが、ここで、図７に示すサービスＩ／Ｆ情報３６を基にサービスパラメータ情報，サーバ用パラメータが生成される過程を説明すると、まず、第１番目の「Ｆｏｒｍ＿Ｅｌｅｍ」における「Ｖａｌｕｅ＿Ｎａｍｅ＝ｌａｎｇ」は、入出力デバイス用のパラメータではないため、このパラメータ，つまり「Ｏｐｔｉｏｎ」タグで挟まれた「Ｄｉｓｐ＿Ｖａｌｕｅ」のうち、「Ｄｅｆａｕｌｔ＿Ｓｅｌｅｃｔ」に「１」がセットされている「Ｏｐｔｉｏｎ」タグで挟まれた「Ｄｉｓｐ＿Ｖａｌｕｅ」の値は、Ｓ４５０にてサーバ用パラメータに登録される（図１８（ｅ）参照）。続いて、第２番目の「Ｆｏｒｍ＿Ｅｌｅｍ」における「Ｖａｌｕｅ＿Ｎａｍｅ＝ｓｃａｎ＿ｒｅｓ」は、入出力デバイス用のパラメータであるため、このパラメータ，つまり「Ｄｅｆａｕｌｔ＿Ｓｅｌｅｃｔ」に「１」がセットされている「Ｏｐｔｉｏｎ」タグで挟まれた「Ｄｉｓｐ＿Ｖａｌｕｅ」の値は、Ｓ４４８にてサービスパラメータ情報に登録される（図１８（ｂ）参照）。続いて、第３番目の「Ｆｏｒｍ＿Ｅｌｅｍ」における「Ｖａｌｕｅ＿Ｎａｍｅ＝ｐｒｉｎｔ＿ｒｅｓ」は、入出力デバイス用のパラメータであるため、このパラメータ，つまり「Ｄｅｆａｕｌｔ＿Ｓｅｌｅｃｔ」に「１」がセットされている「Ｏｐｔｉｏｎ」タグで挟まれた「Ｄｉｓｐ＿Ｖａｌｕｅ」の値は、Ｓ４４８にてサービスパラメータ情報に登録される（図１８（ｃ）参照）。そして、第４番目の「Ｆｏｒｍ＿Ｅｌｅｍ」における「Ｖａｌｕｅ＿Ｎａｍｅ＝ｃｏｍｍｅｎｔ」は、入出力デバイス用のパラメータではないため、このパラメータ，つまり「Ｄｅｆａｕｌｔ＿Ｓｔｒｉｎｇ」にセットされている値は、Ｓ４５０にてサーバ用パラメータに登録される（図１８（ｆ）参照）。
【０１６２】
そして、Ｓ４４４にて、全てのパラメータに対する処理が終了したら、Ｓ４３８へ移行し、この時点におけるサーバ用パラメータを送信用データにセットしてから図１５におけるＳ４０６にて機能サーバ３０へ送信した後、本パラメータ設定処理を終了する。
○複合機１０による入力ジョブ１
以下に、指定ジョブの起動処理（図１４）におけるＳ３０５でセッション処理及びＵＩジョブ処理と並列動作するように起動される入力ジョブ１について、図１９のフローチャートを用いて説明する。なお、この入力ジョブ１は、サービスＩ／Ｆ情報３６の基本データにおける「Ｐａｒａｍ＿Ａｄｍ」が「１」となっているもの（図６）を送信するように設定されている機能サーバ３０からのジョブ起動指令を受けた際に起動されるものである。
【０１６３】
この入力ジョブ１が開始されると、まずＳ５０１で、入力装置（読取部１３で生成された画像データに関するサービスであれば読取部１３、音入力部１７で生成された音データに関するサービスであれば音入力部１７）がビジー状態であるか否かを判定する。具体的には、入力装置がビジー状態であるか否かを表すビジーフラグＦｉに基づき、ビジーフラグＦｉが立っている場合にはビジー状態であると判定し、ビジーフラグＦｉが下りている場合にはビジー状態でないと判定する。
【０１６４】
そして、Ｓ５０１で、入力装置がビジー状態であると判定した場合には、Ｓ５０２へ移行し、入力装置のビジー状態が解除されるまで待機した後、Ｓ５０１へ戻る。
一方、Ｓ５０１で、ビジー状態でないと判定した場合には、Ｓ５０３へ移行し、ビジーフラグＦｉを立てる。
【０１６５】
続いて、Ｓ５０４では、複合機状態情報を機能サーバ３０へ送信する。なお、複合機状態情報に伴い、セッションＩＤ、ジョブＩＤ及びエラーコードが送信される。
続いて、Ｓ５０５では、Ｓ５０４で送信した「複合機状態情報」に対して返信される複合機パラメータを機能サーバ３０から受信する。なお、複合機パラメータは、機能サーバ３０の制御部３１により実行される後述のスキャンジョブ１処理（図２９）におけるＳ１２０３の処理により送信される。
【０１６６】
続いて、Ｓ５０６では、セッションからの終了指示があったか否かを判定する。なお、セッションからの終了指示は、複合機１０の制御部１１により実行されるセッション処理（図１３）におけるＳ２１０の処理により出力される。
【０１６７】
このＳ５０６で、セッションからの終了指示がないと判定した場合には、Ｓ５０７へ移行し、Ｓ５０５で複合機パラメータを正常に受信できたか否かを判定する。
そして、Ｓ５０７で、正常に受信できなかったと判定した場合には、Ｓ５０８へ移行し、複合機１０が機能サーバ３０からの情報を正常に受け取ることができたか否かの通知である複合機受取状況として異常受取（ＮＧ）である旨を機能サーバ３０へ通知し、Ｓ５０５へ戻る。なお、複合機受取状況に伴い、セッションＩＤ及びジョブＩＤが送信される。
【０１６８】
一方、Ｓ５０７で、正常に受信できたと判定した場合には、Ｓ５０９へ移行し、複合機受取状況として正常受取（ＯＫ）である旨を機能サーバ３０へ通知する。
続いて、Ｓ５１０では、入力データ要求を機能サーバ３０から受信する。なお、入力データ要求は、機能サーバ３０の制御部３１により実行される後述のスキャンジョブ１処理（図２９）におけるＳ１２０９の処理で送信される。
【０１６９】
続いて、Ｓ５１１では、Ｓ５０６と同様、セッションからの終了指示があったか否かを判定する。
このＳ５１１で、セッションからの終了指示がないと判定した場合には、Ｓ５１２へ移行し、Ｓ５１０で入力データ要求を正常に受信できたか否かを判定する。
【０１７０】
そして、Ｓ５１２で、正常に受信できなかったと判定した場合には、Ｓ５１３へ移行し、異常受取（ＮＧ）である旨を機能サーバ３０へ通知し、Ｓ５１０へ戻る。
一方、Ｓ５１２で、正常に受信できたと判定した場合には、Ｓ５１４へ移行し、複合機パラメータに基づいて入力デバイスの設定値を変更すると共に、入力操作を利用者に促す出力（例えば、「原稿をセットしてＯＫキーを押してください」、「受話器をとって音声を入力してください」等のメッセージを操作パネル１２ａのディスプレイ５２に表示）を行い、これにより入力される入力データを機能サーバ３０へ順次送信する処理を行う。なお、入力データとしては、メモリカード等の半導体製メモリに記憶された画像データを読み込むことによる入力や、記憶部１６に記憶されている画像データの入力等も挙げられる。また、入力データに伴い、セッションＩＤ及びジョブＩＤが送信される。
【０１７１】
続いて、Ｓ５１５では、Ｓ５１４で変更した入力デバイスの設定値を元に戻す。
続いて、Ｓ５１６では、サービス状態情報を機能サーバ３０から受信した後、Ｓ５１７へ移行する。なお、サービス状態情報は、機能サーバ３０の制御部３１により実行される後述のスキャンジョブ１処理（図２９）におけるＳ１２０８，Ｓ１２１２の各処理で送信される。
【０１７２】
一方、Ｓ５０６又はＳ５１１で、セッションからの終了指示があったと判定した場合には、そのままＳ５１７へ移行する。
Ｓ５１７では、Ｓ５０３で立てたビジーフラグＦｉを下ろす。
【０１７３】
そして、Ｓ５１８で、セッションへ終了を通知した後、本入力ジョブ１を終了する。
○複合機１０による入力ジョブ２
以下に、指定ジョブの起動処理（図１４）におけるＳ３０５でセッション処理及びＵＩジョブ処理と並列動作するように起動される入力ジョブ２について、図２０のフローチャートを用いて説明する。なお、この入力ジョブ２は、サービスＩ／Ｆ情報３６の基本データにおける「Ｐａｒａｍ＿Ａｄｍ」が「２」となっているもの（図７）を送信するように設定されている機能サーバ３０からのジョブ起動指令を受けた際に起動されるものである。
【０１７４】
この入力ジョブ２が開始されると、まず、図１９におけるＳ５０１〜Ｓ５０４と同様の処理であるＳ５５１〜Ｓ５５４を行った後、Ｓ５５６へ移行し、複合機１０の入力デバイスの設定値を、サービスパラメータ情報に登録されているパラメータに変更する。ここでは、入力デバイスである読取部１３（スキャナ），音入力部１７（マイク）についての設定値を、それぞれサービスパラメータ情報に登録されたパラメータのうち該当するパラメータ（スキャナ，マイクのパラメータ）に変更する。
【０１７５】
続いて、図１９におけるＳ５１０〜Ｓ５１２の処理と同様の処理であるＳ５６０〜Ｓ５６２の処理を行い、このＳ５６２で入力データ要求を正常に受信できたと判定した場合には、Ｓ５６４へ移行し、入力操作を利用者に促す出力を行い、これにより入力される入力データを機能サーバ３０へ順次送信する処理を行う。なお、入力データに伴い、セッションＩＤ及びジョブＩＤが送信される。
【０１７６】
そして、Ｓ５６５では、Ｓ５５４の処理で変更された各設定値を元の状態に戻した後、図１９におけるＳ５１５〜Ｓ５１８と同様の処理であるＳ５６５〜Ｓ５６８を行って、本入力ジョブ２を終了する。
【０１７７】
なお、Ｓ５６６にて受信されるサービス状態情報は、機能サーバ３０の制御部３１により実行される後述のスキャンジョブ２処理（図３０）におけるＳ１２５８，Ｓ１２６２の各処理で送信されるものである。
○複合機１０による出力ジョブ１
以下に、指定ジョブの起動処理（図１４）におけるＳ３０８でセッション処理、ＵＩジョブ処理及び入力ジョブ処理と並列動作するように起動される出力ジョブ１について、図２１のフローチャートを用いて説明する。なお、この出力ジョブ１は、サービスＩ／Ｆ情報３６の基本データにおける「Ｐａｒａｍ＿Ａｄｍ」が「１」となっているもの（図６）を送信するように設定されている機能サーバ３０からのジョブ起動指令を受けた際に起動されるものである。
【０１７８】
この出力ジョブ１が開始されると、まずＳ６０１で、出力装置（記録部１４で印刷する画像を表す画像データに関するサービスであれば記録部１４，音出力部１８から出力する音データに関するサービスであれば音出力部１８）がビジー状態であるか否かを判定する。具体的には、出力装置がビジー状態であるか否かを表すビジーフラグＦｏに基づき、ビジーフラグＦｏが立っている場合にはビジー状態であると判定し、ビジーフラグＦｏが下りている場合にはビジー状態でないと判定する。
【０１７９】
そして、Ｓ６０１で、出力装置がビジー状態であると判定した場合には、Ｓ６０２へ移行し、出力装置のビジー状態が解除されるまで待機した後、Ｓ６０１へ戻る。
一方、Ｓ６０１で、ビジー状態でないと判定した場合には、Ｓ６０３へ移行し、ビジーフラグＦｏを立てる。
【０１８０】
続いて、Ｓ６０４では、複合機状態情報を機能サーバ３０へ送信する。なお、複合機状態情報に伴い、セッションＩＤ、ジョブＩＤ及びエラーコードが送信される。
続いて、Ｓ６０５では、Ｓ６０４で送信した「複合機状態情報」に対して返信される複合機パラメータを機能サーバ３０から受信する。なお、複合機パラメータは、機能サーバ３０の制御部３１により実行される後述の印刷ジョブ１処理（図３１）におけるＳ１３０３の処理で送信される。
【０１８１】
続いて、Ｓ６０６では、セッションからの終了指示があったか否かを判定する。なお、セッションからの終了指示は、複合機１０の制御部１１により実行されるセッション処理（図１３）におけるＳ２１０の処理により出力される。
【０１８２】
このＳ６０６で、セッションからの終了指示がないと判定した場合には、Ｓ６０７へ移行し、Ｓ６０５で複合機パラメータを正常に受信できたか否かを判定する。
そして、Ｓ６０７で、正常に受信できなかったと判定した場合には、Ｓ６０８へ移行し、複合機１０が機能サーバ３０からの情報を正常に受け取ることができたか否かの通知である複合機受取状況として異常受取（ＮＧ）である旨を機能サーバ３０へ通知し、Ｓ６０５へ戻る。なお、複合機受取状況に伴い、セッションＩＤ及びジョブＩＤが送信される。
【０１８３】
一方、Ｓ６０７で、正常に受信できたと判定した場合には、Ｓ６０９へ移行し、複合機受取状況として正常受取（ＯＫ）である旨を機能サーバ３０へ通知する。
続いて、Ｓ６１０では、出力データ（例えば画像データや音データ）を機能サーバ３０から受信する。なお、出力データは、機能サーバ３０の制御部３１により実行される後述の印刷ジョブ１処理（図３１）におけるＳ１３０９の処理で送信される。
【０１８４】
続いて、Ｓ６１１では、Ｓ６０６と同様、セッションからの終了指示があったか否かを判定する。
このＳ６１１で、セッションからの終了指示がないと判定した場合には、Ｓ６１２へ移行し、Ｓ６１０で出力データを正常に受信できたか否かを判定する。
【０１８５】
そして、Ｓ６１２で、正常に受信できなかったと判定した場合には、Ｓ６１３へ移行し、異常受取（ＮＧ）である旨を機能サーバ３０へ通知し、Ｓ６１０へ戻る。
一方、Ｓ６１２で、正常に受信できたと判定した場合には、Ｓ６１４へ移行し、複合機パラメータに基づいて出力デバイスの設定値を変更すると共に、出力データを出力する処理（例えば、画像データが表す画像の印刷や、音データが表す音声の出力）を行う。
【０１８６】
続いて、Ｓ６１５では、Ｓ６１４の処理で変更された各設定値を元の状態に戻す。
続いて、Ｓ６１６では、複合機状態情報を機能サーバ３０へ送信する。なお、複合機状態情報に伴い、セッションＩＤ、ジョブＩＤ及びエラーコードが送信される。
【０１８７】
続いて、Ｓ６１７では、サービス状態情報を機能サーバ３０から受信した後、Ｓ６１８へ移行する。なお、サービス状態情報は、機能サーバ３０の制御部３１により実行される後述の印刷ジョブ処理（図３１）におけるＳ１３０８，Ｓ１３１２の各処理で送信される。
【０１８８】
一方、Ｓ６０６又はＳ６１１で、セッションからの終了指示があったと判定した場合には、そのままＳ６１８へ移行する。
Ｓ６１８では、Ｓ６０３で立てたビジーフラグＦｏを下ろす。
【０１８９】
そして、Ｓ６１９で、セッションへ終了を通知した後、本出力ジョブ１を終了する。
○複合機１０による出力ジョブ２
以下に、指定ジョブの起動処理（図１４）におけるＳ３０８でセッション処理、ＵＩジョブ処理及び入力ジョブ処理と並列動作するように起動される出力ジョブ２について、図２２のフローチャートを用いて説明する。なお、この出力ジョブ２は、サービスＩ／Ｆ情報３６の基本データにおける「Ｐａｒａｍ＿Ａｄｍ」が「２」となっているもの（図７）を送信するように設定されている機能サーバ３０からのジョブ起動指令を受けた際に起動されるものである。
【０１９０】
この出力ジョブ２が開始されると、まず、図２１におけるＳ６０１〜Ｓ６１４の処理と同様の処理であるＳ６５１〜Ｓ６５４の処理を行った後、Ｓ６５５へ移行し、複合機１０の入力デバイスの設定値を、サービスパラメータ情報に登録されているパラメータに変更する。ここでは、出力デバイスである記録部１４（プリンタ），音出力部１８（スピーカ）の設定値を、それぞれサービスパラメータ情報に登録されたパラメータのうち該当するパラメータ（プリンタ，スピーカのパラメータ）に変更する。
【０１９１】
この後、図２１におけるＳ６１０〜Ｓ６１２と同様の処理であるＳ６６０〜Ｓ６６２を行い、このＳ６６２で出力データを正常に受信できたと判定した場合には、この出力データを出力デバイスにより出力する。なお、この出力データは、機能サーバ３０の制御部３１により実行される後述の印刷ジョブ処理（図３１）におけるＳ１３０９の処理で送信される。なお、Ｓ６６０にて受信される出力データは、機能サーバ３０の制御部３１により実行される後述の印刷ジョブ２処理（図３２）におけるＳ１３５９の処理で送信される。
【０１９２】
そして、図２１におけるＳ６１５〜Ｓ６１９と同様の処理であるＳ６６５〜Ｓ６６９を行った後、本出力ジョブ２を終了する。なお、Ｓ６６７にて受信されるサービス状態情報は、機能サーバ３０の制御部３１により実行される後述の印刷ジョブ２処理（図３２）におけるＳ１３５８，Ｓ１３６２の各処理で送信される。
○ディレクトリサーバ２０によるディレクトリサーバ処理
以下に、ディレクトリサーバ２０の制御部２１が行うディレクトリサーバ処理について、図２３のフローチャートを用いて説明する。なお、本ディレクトリサーバ処理は、ディレクトリサーバ２０がＨＴＴＰリクエストを受信することにより開始される。
【０１９３】
このディレクトリサーバ処理が開始されると、まず、Ｓ７０１で、ＨＴＴＰリクエストを受信する。
続いて、Ｓ７０２では、Ｓ７０１で受信したＨＴＴＰリクエストがサービス登録の指令であるか否かを判定する。なお、サービス登録の指令は、機能サーバ３０の制御部３１により実行される後述のサービス追加処理（図３３）におけるＳ１４０６の処理で送信される。
【０１９４】
このＳ７０２で、サービス登録の指令であると判定した場合には、Ｓ７０３へ移行し、サービス定義情報２５の内容を受信して、サービスを登録する。具体的には、記憶部２３のサービス定義情報記憶部２４に記憶されているサービス定義情報２５に新規サービスについての情報が登録される。そして、Ｓ７０４へ移行し、ＨＴＴＰレスポンスを送信した後、本ディレクトリサーバ処理を終了する。
【０１９５】
一方、Ｓ７０２で、サービス登録の指令でないと判定した場合には、Ｓ７０５へ移行し、Ｓ７０１で受信したＨＴＴＰリクエストがサービス更新（例えば、サービス要求先ＵＲＬの変更）の指令であるか否かを判定する。なお、サービス更新の指令は、機能サーバ３０の制御部３１により実行される後述のサービス変更処理（図３４）におけるＳ１５０３の処理で送信される。
【０１９６】
このＳ７０５で、サービス更新の指令であると判定した場合には、Ｓ７０６へ移行し、サービス定義情報２５の内容を受信して、サービスを更新する。具体的には、記憶部２３のサービス定義情報記憶部２４に記憶されているサービス定義情報２５における該当するサービスについての情報が更新される。そして、Ｓ７０４へ移行し、ＨＴＴＰレスポンスを送信した後、本ディレクトリサーバ処理を終了する。
【０１９７】
一方、Ｓ７０５で、サービス更新の指令でないと判定した場合には、Ｓ７０７へ移行し、Ｓ７０１で受信したＨＴＴＰリクエストがサービス削除の指令であるか否かを判定する。なお、サービス削除の指令は、機能サーバ３０の制御部３１により実行される後述のサービス削除処理（図３５）におけるＳ１６０２の処理で送信される。
【０１９８】
このＳ７０７で、サービス削除の指令であると判定した場合には、Ｓ７０８へ移行し、指定したサービス定義情報２５を削除する。具体的には、記憶部２３のサービス定義情報記憶部２４に記憶されているサービス定義情報２５における該当するサービスについての情報が削除される。そして、Ｓ７０４へ移行し、ＨＴＴＰレスポンスを送信した後、本ディレクトリサーバ処理を終了する。
【０１９９】
一方、Ｓ７０７で、サービス削除の指令でないと判定した場合には、Ｓ７０９へ移行し、Ｓ７０１で受信したＨＴＴＰリクエストがサービス一覧照会の要求であるか否かを判定する。なお、サービス一覧照会の要求は、複合機１０の制御部１１により実行される上述の複合機処理（図１１）におけるＳ１０６の処理で送信される。
【０２００】
このＳ７０９で、サービス一覧照会の要求であると判定した場合には、Ｓ７１０へ移行し、記憶部２３のサービス定義情報記憶部２４からトップのサービス定義情報２５を読み出す。そして、Ｓ７０４へ移行し、読み出したサービス定義情報２５を含むＨＴＴＰレスポンスを送信した後、本ディレクトリサーバ処理を終了する。
【０２０１】
一方、Ｓ７０９で、サービス一覧照会の要求でないと判定した場合には、Ｓ７１１へ移行し、Ｓ７０１で受信したＨＴＴＰリクエストがサービス照会の要求であるか否かを判定する。なお、サービス照会の要求は、複合機１０の制御部１１により実行される上述の複合機処理（図１１）におけるＳ１１５の処理で送信される。
【０２０２】
このＳ７１１で、サービス照会の要求であると判定した場合には、Ｓ７１２へ移行し、記憶部２３のサービス定義情報記憶部２４からＩＤ又はＵＲＬで指定されたサービス定義情報２５を読み出す。そして、Ｓ７０４へ移行し、読み出したサービス定義情報２５を含むＨＴＴＰレスポンスを送信した後、本ディレクトリサーバ処理を終了する。
【０２０３】
一方、Ｓ７１１で、サービス照会の要求でないと判定した場合には、Ｓ７１３へ移行し、Ｓ７０１で受信したＨＴＴＰリクエストが、ディレクトリサーバ２０を管理するためのサーバ管理の指令であるか否かを判定する。なお、サーバ管理の指令を送信する処理については、本発明とは直接関係ないため説明を省略している。
【０２０４】
このＳ７１３で、サーバ管理の指令であると判定した場合には、Ｓ７１４へ移行し、サーバ管理機能を起動する。そして、Ｓ７０４へ移行し、ＨＴＴＰレスポンスを送信した後、本ディレクトリサーバ処理を終了する。
【０２０５】
一方、Ｓ７１３で、サーバ管理の指令でないと判定した場合には、そのままＳ７０４へ移行し、ＨＴＴＰレスポンスを送信した後、本ディレクトリサーバ処理を終了する。
○機能サーバ３０による機能サーバ処理
以下に、機能サーバ３０の制御部３１が行う機能サーバ処理について、図２４のフローチャートを用いて説明する。なお、本機能サーバ処理は、機能サーバ３０がＨＴＴＰリクエストを受信することにより開始される。
【０２０６】
この機能サーバ処理が開始されると、まず、Ｓ８０１で、ＨＴＴＰリクエストを受信する。
続いて、Ｓ８０２では、Ｓ８０１で受信したＨＴＴＰリクエストがサービス起動の指令であるか否かを判定する。なお、サービス起動の指令は、複合機１０の制御部１１により実行される上述のセッション処理（図１３）におけるＳ２０１の処理で送信される。
【０２０７】
このＳ８０２で、サービス起動の指令であると判定した場合には、Ｓ８０３へ移行し、指定サービスが存在しないか否かを判定する。
そして、Ｓ８０３で、何らかの異常により指定サービスが存在しないと判定した場合には、Ｓ８０４へ移行し、エラー通知情報を生成し、Ｓ８０９へ移行する。
【０２０８】
一方、Ｓ８０３で、指定サービスが正常に存在すると判定した場合には、Ｓ８０５へ移行し、セッションＩＤを生成して送信データを生成する。また、サービスを実行するプロセスを起動する（具体的には、後述するセッション処理（図２６）を開始させる）。そして、Ｓ８０９へ移行する。
【０２０９】
また、Ｓ８０２で、サービス起動の指令でないと判定した場合には、Ｓ８０６へ移行し、Ｓ８０１で受信したＨＴＴＰリクエストがサービス終了の指令であるか否かを判定する。なお、サービス終了の指令は、複合機１０が利用者からの停止指令（例えば、サービス実行中のキャンセルキー５１押下など）を割り込み処理により受け、その指令に応じて複合機１０より送信される。
【０２１０】
このＳ８０６で、サービス終了の指令であると判定した場合には、Ｓ８０７へ移行し、セッションＩＤ及び確保したリソースを解放し、Ｓ８０９へ移行する。
一方、Ｓ８０６で、サービス終了の指令でないと判定した場合には、Ｓ８０８へ移行し、サービス制御情報処理を実行した後、Ｓ８０９へ移行する。なお、サービス制御情報処理の具体的内容については後述する（図２５）。
【０２１１】
Ｓ８０９では、生成した情報を含むＨＴＴＰレスポンスの送信処理を行う。
続いて、Ｓ８１０では、Ｓ８０８のサービス制御情報処理を実施したか否かを判定する。
【０２１２】
このＳ８１０で、サービス制御情報処理を実施したと判定した場合には、Ｓ８１１へ移行し、セッションＩＤ又はジョブＩＤに対応するメモリアドレスに「送信済み」をセットした後、本機能サーバ処理を終了する。
【０２１３】
一方、Ｓ８１０で、サービス制御情報処理を実施していないと判定した場合には、そのまま本機能サーバ処理を終了する。
○機能サーバ３０によるサービス制御情報処理
以下に、機能サーバ処理（図２４）におけるＳ８０８で実行されるサービス制御情報処理の具体的内容について、図２５のフローチャートを用いて説明する。
【０２１４】
このサービス制御情報処理が開始されると、まず、Ｓ９０１で、サービスに送信する情報が存在するか否かを判定する。具体的には、機能サーバ処理（図２４）のＳ８０１で受信したＨＴＴＰリクエストに、サービス（セッション又はジョブ）に対する情報が含まれているか否かを判定する。
【０２１５】
このＳ９０１で、サービスに送信する情報が存在すると判定した場合には、Ｓ９０２へ移行し、セッションＩＤ又はジョブＩＤに対応する送信するプロセスを特定する。つまり、受信したＨＴＴＰリクエストに含まれている情報の送信先となるプロセスを特定するのである。
【０２１６】
続いて、Ｓ９０３では、プロセスが特定できないか否かを判定する。
このＳ９０３で、何らかの異常によりプロセスが特定できないと判定した場合には、Ｓ９０４へ移行し、エラー通知情報を生成した後、本サービス制御情報処理を終了する。
【０２１７】
一方、Ｓ９０３で、プロセスが特定できると判定した場合には、Ｓ９０５へ移行し、特定したプロセスに情報を送信した後、Ｓ９０６へ移行する。
また、Ｓ９０１で、サービスに送信する情報が存在しないと判定した場合には、そのままＳ９０６へ移行する。
【０２１８】
Ｓ９０６では、セッションＩＤ又はジョブＩＤに対応する返信情報の格納メモリを特定する。
続いて、Ｓ９０７では、格納メモリが特定できないか否かを判定する。
【０２１９】
このＳ９０７で、格納メモリが特定できないと判定した場合には、Ｓ９０４へ移行し、エラー通知情報を生成した後、本サービス制御情報処理を終了する。
一方、Ｓ９０７で、格納メモリが特定できると判定した場合には、Ｓ９０８へ移行し、複合機１０に送信する情報が存在するか否かを判定する。
【０２２０】
このＳ９０８で、複合機１０に送信する情報が存在すると判定した場合には、Ｓ９０９へ移行し、返信情報に基づき、複合機制御指令を生成した後、本サービス制御情報処理を終了する。
【０２２１】
一方、Ｓ９０８で、複合機１０に送信する情報が存在しないと判定した場合には、Ｓ９１０へ移行し、複合機指令無しの情報を生成した後、本サービス制御情報処理を終了する。
○機能サーバ３０によるセッション処理
以下に、機能サーバ３０の制御部３１が行うセッション処理について、図２６及び図２７のフローチャートを用いて説明する。なお、セッション処理の内容はサービスの種類によって異なるため、ここでは、翻訳コピーのサービスについてのセッション処理を例にとって説明する。また、本セッション処理は、上記機能サーバ処理（図２４）におけるＳ８０５の処理により機能サーバ処理と並列動作するように開始される。
【０２２２】
このセッション処理が開始されると、まず、Ｓ１００１で、初期化処理を行う。
続いて、Ｓ１００２では、サービス側ＵＩジョブを起動する。なお、サービス側ＵＩジョブの具体的内容については後述する（図２８）。
【０２２３】
続いて、Ｓ１００３では、ＵＩジョブ起動指令を複合機指令として出力する。具体的には、返信情報を格納するメモリに対してその複合機指令を書き込む処理を行い、その後、上述の機能サーバ処理（図２４）におけるＳ８１１の処理により「送信済み」がセットされることで出力を確認する。なお、このＵＩジョブ起動指令に伴い、ジョブＩＤとジョブの通信先ＵＲＬとが出力される。
【０２２４】
続いて、Ｓ１００４では、パラメータの入力が完了したか否かを判定する。なお、パラメータの入力が完了したか否かは、後述のＵＩジョブ処理（図２８）におけるＳ１１１１の処理によってパラメータ入力済みの通知がされたか否かにより判定する。
【０２２５】
このＳ１００４で、パラメータの入力が完了していないと判定した場合には、Ｓ１００５へ移行し、停止が通知されたか否かを判定する。なお、停止の通知は、後述のＵＩジョブ処理（図２８）におけるＳ１１０９の処理で行われる。
【０２２６】
そして、Ｓ１００５で、停止が通知されていないと判定した場合には、Ｓ１００４へ戻る。
一方、Ｓ１００５で、停止が通知されたと判定した場合には、後述するＳ１０２４の処理へ移行する。
【０２２７】
また、Ｓ１００４で、パラメータの入力が完了したと判定した場合には、Ｓ１００６へ移行し、サービス側スキャンジョブを起動する。なお、サービス側スキャンジョブの具体的内容については後述する（図２９，図３０）。
【０２２８】
続いて、Ｓ１００７では、スキャンジョブ（入力ジョブ）起動指令を複合機指令として出力する。なお、このスキャンジョブ起動指令に伴い、ジョブＩＤとジョブの通信先ＵＲＬとが出力される。
【０２２９】
続いて、Ｓ１００８では、スキャナの準備が完了したか否かを判定する。なお、スキャナの準備が完了したか否かは、後述のスキャンジョブ１処理（図２９）におけるＳ１２１３の処理による通知を受けることにより判定する。
【０２３０】
このＳ１００８で、スキャナの準備が完了していないと判定した場合には、Ｓ１００９へ移行し、停止が通知されたか否かを判定する。なお、停止の通知は、後述のスキャンジョブ１処理（図２９）におけるＳ１２０７の処理で行われる。
【０２３１】
そして、Ｓ１００９で、停止が通知されていないと判定した場合には、Ｓ１００８へ戻る。
一方、Ｓ１００９で、停止が通知されたと判定した場合には、後述するＳ１０２２の処理へ移行する。
【０２３２】
また、Ｓ１００８で、スキャナの準備が完了したと判定した場合には、Ｓ１０１０へ移行し、サービス側印刷ジョブを起動する。なお、サービス側印刷ジョブの具体的内容については後述する（図３１，図３２）。
【０２３３】
続いて、Ｓ１０１１では、印刷ジョブ（出力ジョブ）起動指令を複合機指令として出力する。なお、この印刷ジョブ起動指令に伴い、ジョブＩＤとジョブの通信先ＵＲＬとが出力される。
【０２３４】
続いて、Ｓ１０１２では、印刷の準備が完了したか否かを判定する。なお、印刷の準備が完了したか否かは、後述の印刷ジョブ１処理（図３１）におけるＳ１３１３の処理による通知を受けることにより判定する。
【０２３５】
このＳ１０１２で、印刷の準備が完了していないと判定した場合には、Ｓ１０１３へ移行し、停止が通知されたか否かを判定する。なお、停止の通知は、後述の印刷ジョブ１処理（図３１）におけるＳ１３０７の処理で行われる。
【０２３６】
そして、Ｓ１０１３で、停止が通知されていないと判定した場合には、Ｓ１０１２へ戻る。
一方、Ｓ１０１３で、停止が通知されたと判定した場合には、後述するＳ１０２０の処理へ移行する。
【０２３７】
また、Ｓ１０１２で、印刷の準備が完了したと判定した場合には、Ｓ１０１４へ移行し、入力データ（読取部１３で生成した画像データ）を読み出す。
続いて、Ｓ１０１５では、Ｓ１０１４で読み出した画像データについてＯＣＲ処理を施すことにより画像に含まれるテキストを認識し、その認識したテキストに対して翻訳処理を行い、更に翻訳後のテキストについて印刷レイアウトを設定することにより、印刷用の画像データを生成する。
【０２３８】
続いて、Ｓ１０１６では、Ｓ１０１５で生成した印刷用の画像データを出力する。
続いて、Ｓ１０１７では、全データの入力が完了したか否かを判定する。
このＳ１０１７で、入力が完了していないと判定した場合には、Ｓ１０１４へ戻る。
【０２３９】
一方、Ｓ１０１７で、入力が完了したと判定した場合には、Ｓ１０１８へ移行し、全データの出力が完了したか否かを判定する。
そして、Ｓ１０１８で、出力が完了していないと判定した場合には、Ｓ１０１４へ戻る。
【０２４０】
一方、Ｓ１０１８で、出力が完了したと判定した場合には、Ｓ１０１９へ移行し、印刷ジョブ終了指令を複合機指令として出力する。なお、印刷ジョブ終了指令に伴い、終了する印刷ジョブに対応するジョブＩＤが出力される。
【０２４１】
続いて、Ｓ１０２０では、サービス側印刷ジョブを終了する。
続いて、Ｓ１０２１では、スキャンジョブ終了指令を複合機指令として出力する。なお、スキャンジョブ終了指令に伴い、終了するスキャンジョブに対応するジョブＩＤが出力される。
【０２４２】
続いて、Ｓ１０２２では、サービス側スキャンジョブを終了する。
続いて、Ｓ１０２３では、ＵＩジョブ終了指令を複合機指令として出力する。なお、ＵＩジョブ終了指令に伴い、終了するＵＩジョブに対応するジョブＩＤが出力される。
【０２４３】
続いて、Ｓ１０２４では、サービス側ＵＩジョブを終了する。
続いて、Ｓ１０２５で、終了処理（メモリの解放等）を行い、Ｓ１０２６で、サービスの終了を複合機指令として出力した後、本セッション処理を終了する。
○機能サーバ３０によるＵＩジョブ処理
以下に、セッション処理（図２６）におけるＳ１００２の処理で機能サーバ処理及びセッション処理と並列動作するように起動されるＵＩジョブ処理について、図２８のフローチャートを用いて説明する。
【０２４４】
このＵＩジョブ処理が開始されると、まずＳ１１０１で、複合機１０から複合機ジョブ指令問合せを受信する。なお、複合機ジョブ指令問合せは、複合機１０の制御部１１により実行される上述のＵＩジョブ（図１５）におけるＳ４０６の処理で送信される。
【０２４５】
続いて、Ｓ１１０２では、サービスの実行に必要なパラメータを設定させるためのパラメータ要求指令を複合機指令として複合機１０へ送信する。なお、パラメータ要求に伴い、記憶部３３のサービスＩ／Ｆ情報記憶部３４に記憶されているサービスＩ／Ｆ情報３６（この例では、翻訳コピーのサービスに対応するサービスＩ／Ｆ情報３６）が送信される。
【０２４６】
続いて、Ｓ１１０３では、エラーカウントを初期化する。
続いて、Ｓ１１０４では、複合機１０からパラメータを受信する。なお、パラメータは、複合機１０の制御部１１により実行される上述のパラメータ設定処理（図１６）におけるＳ４３８を経て図１５におけるＳ４０６の処理で送信される。
【０２４７】
続いて、Ｓ１１０５では、Ｓ１１０４で受信されたパラメータが正常であるか否かを判定する。
このＳ１１０５で、パラメータが正常でないと判定した場合には、Ｓ１１０６へ移行し、正常でないと判定された回数が２回目であるか否かを判定する。具体的には、Ｓ１１０３で初期化したエラーカウントに基づき判定する。
【０２４８】
そして、Ｓ１１０６で、２回目でない（１回目である）と判定した場合には、Ｓ１１０７へ移行し、機能サーバ３０が複合機１０からの情報を正常に受け取ることができたか否かの通知であるサーバ受取状況としてサーバ受取ＮＧ（異常受取）を出力する。さらに、Ｓ１１０８へ移行し、エラーカウントをカウントアップした後、Ｓ１１０４へ戻る。
【０２４９】
一方、Ｓ１１０６で、２回目であると判定した場合には、Ｓ１１０９へ移行し、セッションへ停止を通知した後、本ＵＩジョブ処理を終了する。
また、Ｓ１１０５で、パラメータが正常であると判定した場合には、Ｓ１１１０へ移行し、サーバ受取状況としてサーバ受取ＯＫ（正常受取）を出力する。
【０２５０】
続いて、Ｓ１１１１では、セッションへパラメータ入力済みを出力する。
続いて、Ｓ１１１２では、複合機１０から複合機ジョブ指令問合せを受信する。なお、複合機ジョブ指令問合せは、上述のように、ＵＩジョブ（図１５）におけるＳ４０６の処理で送信される。
【０２５１】
続いて、Ｓ１１１３では、サービス状態情報を複合機１０へ送信する。その後、Ｓ１１１２へ戻る。つまり、他の処理によって停止されるまで、複合機１０から複合機ジョブ指令問合せを受信し、サービス状態情報を返信するという処理を繰り返すようになっている。なお、サービス状態情報に伴い、エラーコードと、サービスＩ／Ｆ情報３６とが送信される。
○機能サーバ３０によるスキャンジョブ１処理
以下に、セッション処理（図２６）におけるＳ１００６の処理で機能サーバ処理、セッション処理及びＵＩジョブ処理と並列動作するように起動されるスキャンジョブ１処理について、図２９のフローチャートを用いて説明する。なお、このスキャンジョブ１処理は、サービスＩ／Ｆ情報３６の基本データにおける「Ｐａｒａｍ＿Ａｄｍ」が「１」となっているもの（図６）を送信するように設定されている状態において起動されるものである。
【０２５２】
このスキャンジョブ１処理が開始されると、まずＳ１２０１で、複合機１０から複合機状態情報を受信する。なお、複合機状態情報は、複合機１０の制御部１１により実行される上述の入力ジョブ（図１９）におけるＳ５０４の処理で送信される。
【０２５３】
続いて、Ｓ１２０２では、エラーカウントを初期化する。
続いて、Ｓ１２０３では、ＵＩジョブ処理（図２８）におけるＳ１１０４の処理で受信したパラメータに基づき、スキャナ１３のパラメータを複合機パラメータとして複合機１０へ送信する。
【０２５４】
続いて、Ｓ１２０４では、複合機１０において複合機パラメータが正常に受信されたか否かを判定する。具体的には、複合機１０の制御部１１により実行される上述の入力ジョブ１（図１９）におけるＳ５０９の処理により、複合機受取状況として正常受取である旨が通知された場合に正常に受信されたと判定し、Ｓ５０８の処理により、複合機受取状況として異常受取である旨が通知された場合に正常に受信されなかったと判定する。
【０２５５】
このＳ１２０４で、複合機パラメータが正常に受信されなかったと判定した場合には、Ｓ１２０５へ移行し、正常に受信されなかったと判定された回数が２回目であるか否かを判定する。具体的には、Ｓ１２０２で初期化したエラーカウントに基づき判定する。
【０２５６】
そして、Ｓ１２０５で、２回目でない（１回目である）と判定した場合には、Ｓ１２０６へ移行し、エラーカウントをカウントアップした後、Ｓ１２０３へ戻る。
一方、Ｓ１２０５で、２回目であると判定した場合には、Ｓ１２０７へ移行し、セッションへ停止を通知する。さらに、Ｓ１２０８へ移行し、異常終了をサービス状態情報として複合機１０へ送信した後、本スキャンジョブ処理を終了する。
【０２５７】
また、Ｓ１２０４で、複合機パラメータが正常に受信されたと判定した場合には、Ｓ１２１３へ移行し、セッションへスキャナ準備の完了を通知した後、Ｓ１２０９へ移行し、ジョブに対応したデータ種の入力要求である入力データ要求を複合機１０へ送信する。
【０２５８】
続いて、Ｓ１２１０では、複合機１０からの入力データを受信する。なお、入力データは、複合機１０の制御部１１により実行される上述の入力ジョブ１（図１９）におけるＳ５１４の処理で送信される。
【０２５９】
続いて、Ｓ１２１１では、正常終了であるか否かを判定する。
このＳ１２１１で、正常終了でないと判定した場合には、Ｓ１２０８へ移行し、異常終了をサービス状態情報として複合機１０へ送信した後、本スキャンジョブ処理を終了する。
【０２６０】
一方、Ｓ１２１１で、正常終了であると判定した場合には、Ｓ１２１２へ移行し、正常終了をサービス状態情報として複合機１０へ送信した後、本スキャンジョブ１処理を終了する。
○機能サーバ３０によるスキャンジョブ２処理
以下に、セッション処理（図２６）におけるＳ１００６の処理で機能サーバ処理、セッション処理及びＵＩジョブ処理と並列動作するように起動されるスキャンジョブ２処理について、図３０のフローチャートを用いて説明する。なお、このスキャンジョブ２処理は、サービスＩ／Ｆ情報３６の基本データにおける「Ｐａｒａｍ＿Ａｄｍ」が「２」となっているもの（図７）を送信するように設定されている状態において起動されるものである。
【０２６１】
このスキャンジョブ２処理が開始されると、まず、Ｓ１２５１で、複合機１０から複合機状態情報を受信する。なお、複合機状態情報は、複合機１０の制御部１１により実行される上述の入力ジョブ２（図２０）におけるＳ５５４の処理で送信される。
【０２６２】
その後、図１９におけるＳ１２０９〜Ｓ１２６２の処理と同様の処理であるＳ１２５９〜Ｓ１２６２の処理を行った後、本スキャンジョブ２処理を終了する。なお、Ｓ１２６０にて受信される入力データは、複合機１０の制御部１１により実行される上述の入力ジョブ２（図２０）におけるＳ５６４の処理で送信される。
○機能サーバ３０による印刷ジョブ１処理
以下に、セッション処理（図２６）におけるＳ１０１０の処理で機能サーバ処理、セッション処理、ＵＩジョブ処理及びスキャン処理と並列動作するように起動される印刷ジョブ１処理について、図３１のフローチャートを用いて説明する。なお、この印刷ジョブ１処理は、サービスＩ／Ｆ情報３６の基本データにおける「Ｐａｒａｍ＿Ａｄｍ」が「１」となっているもの（図６）を送信するように設定されている状態において起動されるものである。
【０２６３】
この印刷ジョブ１処理が開始されると、まずＳ１３０１で、複合機１０から複合機状態情報を受信する。なお、複合機状態情報は、複合機１０の制御部１１により実行される上述の出力ジョブ１（図２１）におけるＳ６０４の処理で送信される。
【０２６４】
続いて、Ｓ１３０２では、エラーカウントを初期化する。
続いて、Ｓ１３０３では、ＵＩジョブ処理（図２８）におけるＳ１１０４の処理で受信したパラメータに基づき、印刷のパラメータを複合機パラメータとして複合機１０へ送信する。
【０２６５】
続いて、Ｓ１３０４では、複合機１０において複合機パラメータが正常に受信されたか否かを判定する。具体的には、複合機１０の制御部１１により実行される上述の出力ジョブ１（図２１）におけるＳ６０９の処理により、複合機受取状況として正常受取である旨が通知された場合に正常に受信されたと判定し、Ｓ６０８の処理により、複合機受取状況として異常受取である旨が通知された場合に正常に受信されなかったと判定する。
【０２６６】
このＳ１３０４で、複合機パラメータが正常に受信されなかったと判定した場合には、Ｓ１３０５へ移行し、正常に受信されなかったと判定された回数が２回目であるか否かを判定する。具体的には、Ｓ１３０２で初期化したエラーカウントに基づき判定する。
【０２６７】
そして、Ｓ１３０５で、２回目でない（１回目である）と判定した場合には、Ｓ１３０６へ移行し、エラーカウントをカウントアップした後、Ｓ１３０３へ戻る。
一方、Ｓ１３０５で、２回目であると判定した場合には、Ｓ１３０７へ移行し、セッションへ停止を通知する。さらに、Ｓ１３０８へ移行し、異常終了をサービス状態情報として複合機１０へ送信した後、本印刷ジョブ処理を終了する。
【０２６８】
また、Ｓ１３０４で、複合機パラメータが正常に受信されたと判定した場合には、Ｓ１３１３へ移行し、セッションへ印刷準備の完了を通知した後、Ｓ１３０９へ移行し、生成された印刷データを順次複合機１０へ送信する。
【０２６９】
続いて、Ｓ１３１０では、複合機１０からの複合機状態情報を受信する。なお、複合機状態情報は、複合機１０の制御部１１により実行される上述の出力ジョブ１（図２１）におけるＳ６１６の処理で送信される。
【０２７０】
続いて、Ｓ１３１１では、正常終了であるか否かを判定する。
このＳ１３１１で、正常終了でないと判定した場合には、Ｓ１３０８へ移行し、異常終了をサービス状態情報として複合機１０へ送信した後、本印刷ジョブ１処理を終了する。
【０２７１】
一方、Ｓ１３１１で、正常終了であると判定した場合には、Ｓ１３１２へ移行し、正常終了をサービス状態情報として複合機１０へ送信した後、本印刷ジョブ１処理を終了する。
○機能サーバ３０による印刷ジョブ２処理
以下に、セッション処理（図２６）におけるＳ１０１０の処理で機能サーバ処理、セッション処理、ＵＩジョブ処理及びスキャン処理と並列動作するように起動される印刷ジョブ２処理について、図３２のフローチャートを用いて説明する。なお、この印刷ジョブ１処理は、サービスＩ／Ｆ情報３６の基本データにおける「Ｐａｒａｍ＿Ａｄｍ」が「２」となっているもの（図７）を送信するように設定されている状態において起動されるものである。
【０２７２】
この印刷ジョブ２処理が開始されると、まず、Ｓ１３５１で、複合機１０からの複合機状態情報を受信する。なお、複合機状態情報は、複合機１０の制御部１１により実行される上述の出力ジョブ２（図２２）におけるＳ６５４の処理で送信される。
【０２７３】
その後、図３２におけるＳ１３０９〜Ｓ１３６２の処理と同様の処理であるＳ１３５９〜Ｓ１３６２の処理を行った後、本印刷ジョブ２処理を終了する。Ｓ１３６０にて受信される複合機状態情報は、複合機１０の制御部１１により実行される上述の出力ジョブ２（図２２）におけるＳ６６６の処理で送信される。
○機能サーバ３０によるサービス追加処理
以下に、機能サーバ３０の制御部３１が行うサービス追加処理について、図３３のフローチャートを用いて説明する。なお、本サービス追加処理は、機能サーバ３０の管理者により所定の操作が行われることにより開始される。
【０２７４】
このサービス追加処理が開始されると、まずＳ１４０１で、追加するサービスのプログラム（サービスソフトウェア３７）を所定のディレクトリにコピーする操作を、機能サーバ３０の管理者に行わせる。
【０２７５】
続いて、Ｓ１４０２では、Ｓ１４０１でコピーしたプログラムのアドレスをＵＲＬに変換する処理を行う。
続いて、Ｓ１４０３では、追加したサービスのタイトル（サービス名）を機能サーバ３０の管理者に入力させる。
【０２７６】
続いて、Ｓ１４０４では、追加したサービスのカテゴリを機能サーバ３０の管理者に入力させる。なお、ここで入力させるカテゴリは、上述した「データ保存サービス」、「印刷サービス」及び「コピー応用サービス」の３つのカテゴリのうちのいずれかである。
【０２７７】
続いて、Ｓ１４０５では、Ｓ１４０３で入力されたタイトルとＳ１４０４で入力されたカテゴリを、Ｓ１４０２でアドレスを変換して生成されたＵＲＬと対応づけて記憶する。
そして、Ｓ１４０５で記憶したタイトル、カテゴリ、ＵＲＬを伴い、ディレクトリサーバ２０にサービスの登録を通知する。その後、本サービス追加処理を終了する。
○機能サーバ３０によるサービス変更処理
以下に、機能サーバ３０の制御部３１が行うサービス変更処理について、図３４のフローチャートを用いて説明する。なお、本サービス追加処理は、機能サーバ３０の管理者により所定の操作が行われることにより開始される。
【０２７８】
このサービス変更処理が開始されると、まずＳ１５０１で、サービスに関する属性データを変更する操作を機能サーバ３０の管理者に行わせる。
続いて、Ｓ１５０２では、変更後のサービスのタイトルとカテゴリを、ＵＲＬと対応づけて記憶する。
【０２７９】
そして、Ｓ１５０３では、タイトル、カテゴリ、ＵＲＬを伴い、ディレクトリサーバ２０にサービスの変更を通知する。その後、本サービス変更処理を終了する。
○機能サーバ３０によるサービス削除処理
以下に、機能サーバ３０の制御部３１が行うサービス削除処理について、図３５のフローチャートを用いて説明する。なお、本サービス追加処理は、機能サーバ３０の管理者により所定の操作が行われることにより開始される。
【０２８０】
このサービス削除処理が開始されると、まず、Ｓ１６０１で、属性データを選択することによる削除の指示を機能サーバ３０の管理者に行わせる。
続いて、Ｓ１６０２では、タイトル、カテゴリ、ＵＲＬを伴い、ディレクトリサーバ２０にサービスの削除を通知する。
【０２８１】
続いて、Ｓ１６０３では、属性データからレコードを削除する。
そして、Ｓ１６０４では、ＵＲＬに対応したプログラム（サービスソフトウェア３７）を削除する。その後、本サービス削除処理を終了する。
【０２８２】
［効果］
このように構成された画像処理システムにおいて、複合機１０は、機能サーバ３０によりサービスの提供を受けて機能を実現することとなるが、このときの機能は、図１６におけるＳ４３２にて表示させたパラメータ入力画面に従ってユーザが指定したパラメータに基づいて実現されることから、インターネット上の一般サーバのように日々サービスが無秩序に増減する環境にも適応させることができる。
【０２８３】
仮に、従来の構成のように、新規サービスについての情報を複合機１０に登録していく構成とした場合、サービスが無秩序に増減する環境においては、そのサービスの実行に必要なパラメータの仕様などがその後に変更されてしまうと、新規サービスについての情報が複合機１０に登録されていたとしても、そのような新規サービスの提供を正常に受けることができなくなる。このような問題を解決するためには、仕様などの変更に伴うパラメータの設定手順などをも複合機１０側で管理するようにすればよいが、それにより、複合機１０側の負担が大きくなってしまうため、望ましいことではない。
【０２８４】
これに対し、上述した画像処理システムでは、サービスの実行に必要なパラメータをユーザに指定させることにより複合機１０側で随時取得できるため、パラメータの仕様などが変更される状況下においても複合機１０側の負担を抑えることができる。
【０２８５】
また、このとき、ユーザにパラメータを指定させる処理は、図１５におけるＳ４０７にてパラメータ要求を複合機指令として受信したときに行われる処理であるため、複合機１０では、このパラメータ要求を受けた後でユーザに指定されたパラメータを取得することができる。そして、こうして取得したパラメータに基づいて図１９におけるｓ５１４，図２０におけるｓ５６４，図２１におけるｓ６１４，図２２におけるｓ６６４にて機能を実現することができる。
【０２８６】
また、機能サーバ３０によるサービスの提供は、複合機１０で図１１におけるＳ１１１にてリンク選択のための操作，つまりサービスの提供を受けるための操作が行われたことを契機に行われるため、ユーザは、この操作を行うことにより、任意のタイミングでサービスの提供を受けることができる。
【０２８７】
また、図１６におけるＳ４３２にて複合機１０側で取得されたパラメータは、同図Ｓ４３８にて送信用データにセットされた後、図１５におけるＳ４０６にて機能サーバ３０に通知され、その後、図２９におけるＳ１２０３，図３１におけるＳ１３０３にて機能サーバ３０から複合機１０に通知される。そのため、複合機１０は、こうして通知されたパラメータに基づいて機能を実現するだけでよく、この場合であれば、パラメータを複合機１０自身で管理する必要はない。そして、複合機１０は、このようなパラメータの通知を受けた際に、このパラメータに基づき、図１９におけるＳ５１４，図２１におけるＳ６１４にて機能を実現することができる。
【０２８８】
また、図１６におけるＳ４３２においては、サービスＩ／Ｆ情報３６に基づいて、複合機１０の入出力デバイスに関するパラメータを含む複数のパラメータを取得することができる。
【０２８９】
また、複合機１０は、図１６におけるＳ４４０〜Ｓ４５２にて、ユーザに指定されたパラメータを含むサービスＩ／Ｆ情報３６に含まれる情報を、入出力デバイス用のパラメータと、それ以外のパラメータとに分類することができ、ここで入出力用のパラメータとして分類されたパラメータをサービスパラメータ情報に登録しておくことができる。そして、図２０におけるＳ５６４，図２２におけるＳ６６４にて、こうして登録されたパラメータのうち、該当するパラメータを利用して機能を実現することができる。
【０２９０】
また、図２０におけるＳ５５６，図２２におけるＳ６５５では、実行中のジョブに対応するデバイスの設定値を、図１６におけるＳ４４０〜Ｓ４５２において生成されたサービスパラメータ情報に登録されているパラメータのうち、実行中のジョブに対応するデバイスのパラメータに変更したうえで機能を実現することができる。
【０２９１】
また、図１９〜図２２におけるＳ５１４，Ｓ５５６，Ｓ６１４，Ｓ６５５にて変更された設定値は、同図Ｓ５１５，Ｓ５６５，Ｓ６１５，Ｓ６６５にて元に戻されるため、機能サーバ３０によるサービスの提供を受ける以外の場面において、変更されたままの設定値で機能が実現されてしまうといったことはない。
【０２９２】
また、複合機１０が、図１６におけるＳ４３８を経て図１５におけるＳ４０６により、同図Ｓ４３６にて入出力デバイス用以外のパラメータを含む全パラメータの登録されたサーバ用パラメータを送信するか、同図Ｓ４４０〜Ｓ４５２を経て図１５におけるＳ４０６にて入出力デバイス用以外のパラメータの登録されたサーバ用パラメータを送信するかについては、機能サーバ３０側で「Ｐａｒａｍ＿Ａｄｍ」の値を「１」と「２」のいずれのものがセットされた状態で送信するように設定するかによって、任意に変更することができる。つまり、この機能サーバ３０側の設定内容に応じて、入出力デバイス用のパラメータを複合機１０および機能サーバ３０のいずれにより管理するかを任意に変更することができる。
【０２９３】
［本発明との対応関係］
以上説明した実施形態において、複合機１０が本発明における画像処理装置であり、機能サーバ３０が本発明におけるサービス提供手段である。
【０２９４】
また、図１６におけるＳ４３２は、本発明におけるパラメータ取得手段であり、図１５におけるＳ４０６および図１６におけるＳ４３８は、本発明における取得パラメータ通知手段であり、同図Ｓ４４６は、本発明におけるパラメータ分類手段であり、同図Ｓ４４８は、本発明におけるパラメータ登録手段であり、同図Ｓ４３２にて取得されるパラメータが本発明における提供パラメータである。
【０２９５】
また、図１１におけるＳ１１０は、ここでリンク選択のための操作，つまりサービスの提供を受けるための操作が行われた場合に、図１３以降の処理を経てサービスの提供を受けるための契機となる処理であり、本発明におけるサービス要求手段に対応する。
【０２９６】
また、図１９〜図２２におけるＳ５１４，Ｓ５６４，Ｓ６１４，Ｓ６６４は、本発明におけるサービス実現手段である。
また、図２８から図３２のＵＩジョブ，スキャンジョブ，印刷ジョブは、本発明における提供実行手段である。
【０２９７】
また、図２８におけるＳ１１０２は、本発明における管理指令手段および取得要求手段である。
また、図２９におけるＳ１２０３，図３１におけるＳ１３０３の処理は、本発明における実現パラメータ通知手段である。
【０２９８】
［変形例］
以上、本発明の実施の形態について説明したが、本発明は、上記実施形態に何ら限定されることはなく、本発明の技術的範囲に属する限り種々の形態をとり得ることはいうまでもない。
【０２９９】
例えば、上記実施形態においては、本発明における画像処理装置として、複合機１０を適用した構成を例示したが、機能サーバ３０により提供されるサービスを受けて機能を実現できる画像処理装置であれば、複合機以外の装置として、例えば、プリンタ装置，スキャナ装置，ファクシミリ装置などに適用することも可能である。
【０３００】
また、上記実施形態において、機能サーバ３０が、図２８におけるＳ１１０２にて、パラメータ要求指令をサービスＩ／Ｆ情報３６と共に送信する構成を例示した。しかし、このように、パラメータ要求指令およびサービスＩ／Ｆ情報３６を送信する処理については、機能サーバ３０と別体の装置（単体の装置または連携して動作する複数の装置）により実現するように構成してもよい。
【０３０１】
また、上記実施形態においては、図１６におけるＳ４４０以降の処理で作成されるサービスパラメータ情報が、複合機１０内部で管理されるように構成されたものを例示した。しかし、このサービスパラメータ情報については、複合機１０とデータ通信可能な他の装置（以降、「管理サーバ」という）により管理されるように構成してもよい。この場合、同図Ｓ４３８において、サービスパラメータ情報を管理サーバへ送信しておき、以降の処理でサービスパラメータ情報を参照する際には、この管理サーバにアクセスしてサービスパラメータ情報を読み出す（または必要なパラメータのみを読み出す）ように構成すればよい。この場合、
また、上記実施形態においては、機能サーバ３０が、図２８におけるＳ１１０２にて、「Ｐａｒａｍ＿Ａｄｍ」に「１」，「２」のいずれのセットされたサービスＩ／Ｆ情報３６を複合機１０に送信するかにより、複合機１０に対し、入出力デバイス用のパラメータを複合機１０および機能サーバ３０のいずれで管理するかを指令するように構成されたものを例示した。しかし、このような指令については、他の方法により実現するように構成してもよい。例えば、機能サーバ３０が、図２８におけるＳ１１０２にて常時「Ｐａｒａｍ＿Ａｄｍ」に「１」および「２」のセットされたサービスＩ／Ｆ情報３６それぞれを送信するようにすると共に、複合機１０側において、操作部１２でいずれによりパラメータを管理するか指令（設定）できるようにしておくことにより、その指令内容に応じて複合機１０がパラメータの管理先を変更する，つまり図１６におけるＳ４３６および同図Ｓ４４０〜Ｓ４５２のいずれでサーバ用パラメータを生成するかを変更する、といった構成が考えられる。この場合、いずれによりパラメータを管理するかを指令する処理に係る構成が、本発明における管理指令手段に相当することとなる。
【０３０２】
また、上記実施形態において、複合機１０は、ディレクトリサーバ２０のサービス定義情報記憶部２４に記憶されている複数のサービス定義情報２５のうち、まずトップのサービス定義情報２５を受信してカテゴリを選択し、次に、その選択したカテゴリに対応するサービス定義情報２５を受信してサービスを選択するようにしているが、これに限ったものではない。すなわち、ディレクトリサーバ２０のサービス定義情報記憶部２４に記憶されている複数の（例えばすべての）サービス定義情報２５を一度に受信するようにしてもよい。
【０３０３】
また、サービスＩ／Ｆ情報３６が設定を要求するパラメータとしては、上記実施形態で例示したもの（解像度等）に限らず、サービスの内容に応じて様々なものが考えられる。例えば、モノクロ／カラーの選択、トナーの濃さ（印刷濃度）、音声のボリューム（音量）等が挙げられる。
【０３０４】
さらに、サービスＩ／Ｆ情報３６により設定不能とするパラメータは、高いパラメータ又は低いパラメータのいずれかに限られるものではない。例えば、読取解像度として２００ｄｐｉ、３００ｄｐｉ及び６００ｄｐｉから設定可能な場合に、３００ｄｐｉを設定不能とし、２００ｄｐｉ及び６００ｄｐｉを設定可能としてもよい。
【０３０５】
また、上記実施形態の画像処理システムでは、複合機１０、ディレクトリサーバ２０及び機能サーバ３０をそれぞれ１台ずつ備えた構成を例示しているが、このような構成はあくまでも説明を容易にするための構成例にすぎず、本発明の画像処理システムは、これ以外にも様々な構成をとることが可能である。すなわち、本発明の画像処理システムにおいて、複合機１０は複数設けられていてもよい。具体的には、複数の複合機１０が、共通のディレクトリサーバ２０からのサービス定義情報２５を受信し、共通の機能サーバ３０にサービスを要求するようにすることができる。
【０３０６】
また、本発明の画像処理システムにおいて、ディレクトリサーバ２０は複数設けられていてもよい。具体的には、例えば、トップのサービス定義情報２５を送信するディレクトリサーバ２０と、各カテゴリのサービス定義情報２５を送信するディレクトリサーバ２０とを、別々のサーバで構成することも可能である。
【０３０７】
また、本発明の画像システムにおいて、機能サーバ３０は複数設けられていてもよい。具体的には、例えば、サービスＩ／Ｆ情報３６を送信する機能サーバ３０と、サービスを実行する機能サーバ３０とを、別々のサーバで構成することも可能である。また、サービスを実行する機能サーバ３０についても、例えば、セッション処理を実行する機能サーバ３０と、ジョブ処理を実行する機能サーバ３０とを、別々のサーバで構成することも可能である。一方、例えば、複数種類のサービスについて、サービスＡを実行する機能サーバ３０、サービスＢ〜Ｄを実行する機能サーバ３０、サービスＥ，Ｆを実行する機能サーバ３０、というように、複数の機能サーバ３０が各自のサービスを実行するというように構成することもできる。この場合、サービスＩ／Ｆ情報３６は、例えば、サービスを実行する機能サーバ３０がそのサービスに対応するサービスＩ／Ｆ情報３６を送信するようにしてもよく、サービスを実行する機能サーバ３０とは別の機能サーバ３０が送信するようにしてもよい。
【０３０８】
また、ディレクトリサーバ２０またはディレクトリサーバ２０の一部構成要素，および，機能サーバ３０または機能サーバ３０の一部構成要素が、単一の装置として構成されていてもよい。
【０３０９】
また、ディレクトリサーバ２０（またはディレクトリサーバ２０の一部構成要素）や機能サーバ３０（または機能サーバ３０の一部構成要素）が、本画像処理システムを構成する複合機１０に備えられた構成としてもよい。
【図面の簡単な説明】
【０３１０】
【図１】実施形態の画像処理システムの概略構成を表すブロック図
【図２】操作パネルの説明図
【図３】トップのサービス定義情報のデータ構成を表す説明図
【図４】コピー応用サービスのサービス定義情報のデータ構成を表す説明図
【図５】サービス選択用画面の説明図
【図６】翻訳コピーサービスに対応するサービスＩ／Ｆ情報のデータ構成を表す説明図（その１）
【図７】翻訳コピーサービスに対応するサービスＩ／Ｆ情報のデータ構成を表す説明図（その２）
【図８】パラメータ入力用画面の説明図
【図９】複合機で通常設定することが可能な解像度を説明するための説明図
【図１０】複合機と機能サーバとの間で行われる通信の流れを説明するためのラダーチャート
【図１１】複合機処理の処理手順を示すフローチャート
【図１２】機能サーバに要求するサービスをリストから選択するか否かの選択画面の説明図
【図１３】複合機によるセッション処理の処理手順を示すフローチャート
【図１４】複合機による指定ジョブの起動処理の処理手順を示すフローチャート
【図１５】複合機によるＵＩジョブの処理手順を示すフローチャート
【図１６】複合機によるパラメータ設定処理の処理手順を示すフローチャート
【図１７】サーバ用パラメータを説明するための説明図
【図１８】サービスパラメータ情報（（ａ）〜（ｃ））およびサーバ用パラメータ（（ｄ）〜（ｆ））を説明するための説明図
【図１９】複合機によるＵＩジョブ１の処理手順を示すフローチャート
【図２０】複合機によるＵＩジョブ２の処理手順を示すフローチャート
【図２１】複合機による出力ジョブ１の処理手順を示すフローチャート
【図２２】複合機による出力ジョブ２の処理手順を示すフローチャート
【図２３】ディレクトリサーバによるディレクトリサーバ処理の処理手順を示すフローチャート
【図２４】機能サーバによる機能サーバ処理の処理手順を示すフローチャート
【図２５】機能サーバによるサービス制御情報処理の処理手順を示すフローチャート
【図２６】機能サーバによるセッション処理の処理手順を示すフローチャート（１／２）
【図２７】機能サーバによるセッション処理の処理手順を示すフローチャート（２／２）
【図２８】機能サーバによるＵＩジョブ処理の処理手順を示すフローチャート
【図２９】機能サーバによるスキャンジョブ１処理の処理手順を示すフローチャート
【図３０】機能サーバによるスキャンジョブ２処理の処理手順を示すフローチャート
【図３１】機能サーバによる印刷ジョブ１処理の処理手順を示すフローチャート
【図３２】機能サーバによる印刷ジョブ２処理の処理手順を示すフローチャート
【図３３】機能サーバによるサービス追加処理の処理手順を示すフローチャート
【図３４】機能サーバによるサービス変更処理の処理手順を示すフローチャート
【図３５】機能サーバによるサービス削除処理の処理手順を示すフローチャート
【符号の説明】
【０３１１】
１…ネットワーク、２，３，４…ルータ、１０…複合機、１１…制御部、１２…操作部、１２ａ…操作パネル、１３…読取部（スキャナ）、１４…記録部（プリンタ）、１５…通信部、１６…記憶部、１７…音入力部、１８…音出力部、２０…ディレクトリサーバ、２１…制御部、２２…通信部、２３…記憶部、２４…サービス定義情報記憶部、３０…機能サーバ、３１…制御部、３２…通信部、３３…記憶部、３４…サービスＩ／Ｆ情報記憶部、３５…サービスソフト記憶部。
【図１】
2006135692.tif 000005
【図２】
2006135692.tif 000006
【図３】
2006135692.tif 000007
【図４】
2006135692.tif 000008
【図５】
2006135692.tif 000009
【図６】
2006135692.tif 000010
【図７】
2006135692.tif 000011
【図８】
2006135692.tif 000012
【図９】
2006135692.tif 000013
【図１０】
2006135692.tif 000014
【図１１】
2006135692.tif 000015
【図１２】
2006135692.tif 000016
【図１３】
2006135692.tif 000017
【図１４】
2006135692.tif 000018
【図１５】
2006135692.tif 000019
【図１６】
2006135692.tif 000020
【図１７】
2006135692.tif 000021
【図１８】
2006135692.tif 000022
【図１９】
2006135692.tif 000023
【図２０】
2006135692.tif 000024
【図２１】
2006135692.tif 000025
【図２２】
2006135692.tif 000026
【図２３】
2006135692.tif 000027
【図２４】
2006135692.tif 000028
【図２５】
2006135692.tif 000029
【図２６】
2006135692.tif 000030
【図２７】
2006135692.tif 000031
【図２８】
2006135692.tif 000032
【図２９】
2006135692.tif 000033
【図３０】
2006135692.tif 000034
【図３１】
2006135692.tif 000035
【図３２】
2006135692.tif 000036
【図３３】
2006135692.tif 000037
【図３４】
2006135692.tif 000038
【図３５】
2006135692.tif 000039